(57)【特許請求の範囲】
【請求項１】
画像処理装置に接続可能な携帯端末が読み取り可能なプログラムであって、前記携帯端末は表示部および通信部を備えており、前記表示部はタッチパネルを備えており、
第１画面を前記表示部に表示させる第１表示処理と、
ここで、前記第１画面は、第１入力操作と、第２入力操作とを、前記タッチパネルを介して受け付け可能な画面であり、前記第１入力操作は、スキャン画像設定情報を指定する操作であり、前記スキャン画像設定情報は、スキャン処理によって生成されるスキャン画像データの各種設定項目の設定情報であり、前記スキャン処理は、前記画像処理装置で実行される処理であり、
前記第２入力操作が受け付けられたことに応じて、第１スキャン指示情報を前記通信部を介して前記画像処理装置へ送信する第１送信処理と、
ここで、前記第１スキャン指示情報は、前記第１入力操作によって指定された前記スキャン画像設定情報を用いた前記スキャン処理によって第１スキャン画像データを生成することを、前記画像処理装置に指示するための情報であり、
前記スキャン処理によって生成された前記第１スキャン画像データを、前記通信部を介して前記画像処理装置から受信する第１受信処理と、
前記第１入力操作によって指定された、前記スキャン画像設定情報を反映した第１ＦＡＸ画像設定情報を生成する第１生成処理と、
ここで、前記第１ＦＡＸ画像設定情報は、ＦＡＸ送信処理で送信されるＦＡＸ画像データの各種設定項目の設定情報であり、前記ＦＡＸ送信処理は、前記画像処理装置で実行される処理であり、
前記第１生成処理が前記第１ＦＡＸ画像設定情報を生成したことに応じて、第２画面を前記表示部に表示させる第２表示処理と、
ここで、前記第２画面は、前記第１生成処理で生成された前記第１ＦＡＸ画像設定情報を示す第１設定画像と、前記第１スキャン画像データのプレビュー画像と、を含む画面であり、かつ、第３入力操作と、第４入力操作とを、前記タッチパネルを介して受け付け可能な画面であり、前記第３入力操作は、前記ＦＡＸ送信処理の送信先を示す宛先情報を指定する操作であり、
第１ＦＡＸ画像データを生成する第１ＦＡＸ画像データ生成処理と、
ここで、前記第１ＦＡＸ画像データは、前記第１ＦＡＸ画像設定情報を用いて、前記第１スキャン画像データから生成される前記ＦＡＸ画像データであり、
前記第４入力操作が受け付けられたことに応じて、第１ＦＡＸ指示情報と、前記第１ＦＡＸ画像データとを、前記通信部を介して前記画像処理装置へ送信する第２送信処理と、
ここで、前記第１ＦＡＸ指示情報は、前記第１ＦＡＸ画像データを、前記ＦＡＸ送信処理を実行して前記宛先情報が示す送信先へ送信することを、前記画像処理装置に指示するための情報である、
を前記プログラムは前記携帯端末に実行させることを特徴とするプログラム。
【請求項２】
前記第１ＦＡＸ画像設定情報と、前記スキャン画像設定情報とは、共通する設定項目である共通設定項目を持ち、
前記第１生成処理は、前記共通設定項目について、前記第１入力操作によって指定された前記スキャン画像設定情報の値と同一の値を有する前記第１ＦＡＸ画像設定情報を生成することを特徴とする請求項１に記載のプログラム。
【請求項３】
前記携帯端末の記憶部から、前記記憶部の第１デフォルトスキャン画像設定領域に予め記憶された前記スキャン画像設定情報を読出す第１読出処理を、前記プログラムは前記携帯端末にさらに実行させ、
前記第１表示処理は、前記第１読出処理で前記第１デフォルトスキャン画像設定領域から読出された前記スキャン画像設定情報を示す第２設定画像を含む前記第１画面を前記表示部に表示させ、
前記第１入力操作は、前記第１読出処理で前記第１デフォルトスキャン画像設定領域から読出された前記スキャン画像設定情報の値の変更を指定する入力操作であり、
前記プログラムは、前記第１入力操作が受け付けられたことに応じて、前記スキャン画像設定情報の値を変更する第１変更処理を前記携帯端末にさらに実行させることを特徴とする請求項１または２に記載のプログラム。
【請求項４】
前記第１送信処理は、
前記第１入力操作が受け付けられてから、前記第２入力操作が受け付けられた場合に、前記第１スキャン指示情報を、前記画像処理装置へ送信し、
前記第１入力操作が受け付けられることなく、前記第２入力操作が受け付けられた場合に、第２スキャン指示情報を、前記画像処理装置へ送信し、
ここで、前記第２スキャン指示情報は、前記第１読出処理によって前記第１デフォルトスキャン画像設定領域から読出された前記スキャン画像設定情報を用いた前記スキャン処理によって前記第１スキャン画像データを生成することを、前記画像処理装置に指示するための情報であり、
前記第１生成処理は、
前記第１入力操作が受け付けられてから、前記第２入力操作が受け付けられた場合に、前記第１入力操作によって指定された、前記スキャン画像設定情報を反映した前記第１ＦＡＸ画像設定情報を生成し、
前記第１入力操作が受け付けられることなく、前記第２入力操作が受け付けられた場合に、前記第１読出処理によって前記第１デフォルトスキャン画像設定領域から読出された前記スキャン画像設定情報を反映した前記第１ＦＡＸ画像設定情報を生成することを特徴とする請求項３に記載のプログラム。
【請求項５】
前記第２表示処理は、前記第１生成処理で前記第１ＦＡＸ画像設定情報が生成されたことに応じて、前記第１ＦＡＸ画像設定情報が反映された前記プレビュー画像を、前記表示部に表示させることを特徴とする請求項４に記載のプログラム。
【請求項６】
前記第１入力操作によって指定された前記スキャン画像設定情報の値のうち、前記スキャン画像データの画像サイズを示す値が、前記画像処理装置による前記ＦＡＸ送信処理で送信可能な前記ＦＡＸ画像データの画像サイズに含まれる画像サイズを示しているか否かを判断する第１判断処理を、前記プログラムは前記携帯端末にさらに実行させ、
前記スキャン画像設定情報の値が、前記ＦＡＸ送信処理で送信可能な前記ＦＡＸ画像データの画像サイズに含まれる画像サイズを示していると前記第１判断処理で判断したことに応じて、前記第１生成処理が実行され、前記スキャン画像設定情報の値が、前記ＦＡＸ送信処理で送信可能な前記ＦＡＸ画像データの画像サイズに含まれない画像サイズを示していると前記第１判断処理で判断したことに応じて、第２ＦＡＸ画像設定情報を生成する第２生成処理を、前記携帯端末にさらに実行させ、
ここで、前記第２ＦＡＸ画像設定情報は、前記スキャン画像データの画像サイズを、前記ＦＡＸ送信処理で送信可能なＦＡＸ画像データの画像サイズに変更した前記ＦＡＸ画像データを前記第１ＦＡＸ画像データ生成処理において生成するために用いられる情報であり、
前記第１ＦＡＸ画像データ生成処理は、
前記第１生成処理が前記第１ＦＡＸ画像設定情報を生成した場合に、前記第１ＦＡＸ画像設定情報を用いて、前記第１スキャン画像データから前記第１ＦＡＸ画像データを生成し、
前記第２生成処理が前記第２ＦＡＸ画像設定情報を生成した場合に、前記第２ＦＡＸ画像設定情報を用いて、前記第１スキャン画像データから前記第１ＦＡＸ画像データを生成することを特徴とする請求項５に記載のプログラム。
【請求項７】
前記携帯端末の記憶部から、前記記憶部のデフォルトＦＡＸ画像設定領域に予め記憶されたデフォルトＦＡＸ画像設定情報を読出す第２読出処理を、前記プログラムは前記携帯端末にさらに実行させ、
前記第２生成処理は、前記スキャン画像設定情報の値が、前記ＦＡＸ送信処理で送信可能な前記ＦＡＸ画像データの画像サイズに含まれない画像サイズを示していると前記第１判断処理で判断したことに応じて、前記第２読出処理で読出された前記デフォルトＦＡＸ画像設定情報を反映した前記第２ＦＡＸ画像設定情報を生成することを特徴とする請求項６に記載のプログラム。
【請求項８】
第３画面を前記表示部に表示させる第３表示処理と、
ここで、前記第３画面は、前記スキャン処理および前記ＦＡＸ送信処理を実行させる画像処理装置を選択する第５入力操作を、前記タッチパネルを介して受け付け可能な画面であり、
前記第５入力操作が受け付けられたことに応じて、選択された前記画像処理装置が送信可能な前記ＦＡＸ画像データの画像サイズを示すサイズ情報を、前記通信部を介して前記画像処理装置から受信する第２受信処理と、
を、前記プログラムは前記携帯端末にさらに実行させ、
前記第１判断処理は、前記第１入力操作によって指定された前記スキャン画像設定情報の値のうち、前記スキャン画像データの画像サイズを示す値が、前記第２受信処理によって受信された前記サイズ情報が示す前記ＦＡＸ画像データの画像サイズに含まれない画像サイズを示しているか否かを判断することを特徴とする請求項７に記載のプログラム。
【請求項９】
前記第１ＦＡＸ指示情報と、前記第１生成処理で生成された前記第１ＦＡＸ画像設定情報を用いて前記第１ＦＡＸ画像データ生成処理で生成された前記第１ＦＡＸ画像データと、を前記第２送信処理で送信する場合に、
前記第１生成処理で生成された前記第１ＦＡＸ画像設定情報の値が、前記第２読出処理で前記デフォルトＦＡＸ画像設定領域から読出された前記デフォルトＦＡＸ画像設定情報の値と一致するか否かを判断する第２判断処理と、
前記第１ＦＡＸ画像設定情報の値が前記デフォルトＦＡＸ画像設定領域から読出された前記デフォルトＦＡＸ画像設定情報の値と一致しないと前記第２判断処理で判断したことに応じて、前記第１ＦＡＸ画像設定情報を、前記デフォルトＦＡＸ画像設定領域に、前記デフォルトＦＡＸ画像設定情報として上書き記憶させる第１記憶処理と、
を、前記プログラムは前記携帯端末にさらに実行させることを特徴とする請求項８に記載のプログラム。
【請求項１０】
第４画面を前記表示部に表示させる第４表示処理と、
ここで、前記第４画面は、第６入力操作を前記タッチパネルを介して受け付け可能な画面であり、
前記第６入力操作が受け付けられたことに応じて、前記第２読出処理で前記デフォルトＦＡＸ画像設定領域から読出された前記デフォルトＦＡＸ画像設定情報を反映した第３ＦＡＸ画像設定情報を生成する第３生成処理と、
ここで、前記第３ＦＡＸ画像設定情報は、記憶画像データから生成される前記ＦＡＸ画像データの各種設定項目の設定情報であり、前記記憶画像データは、前記記憶部に予め記憶された画像データであり、
第２ＦＡＸ画像データを生成する第２ＦＡＸ画像データ生成処理と、
ここで、前記第２ＦＡＸ画像データは、前記第３ＦＡＸ画像設定情報を用いて、前記記憶画像データから生成される、前記ＦＡＸ画像データであり、
第２ＦＡＸ指示情報と、前記第２ＦＡＸ画像データとを、前記通信部を介して前記画像処理装置へ送信する第３送信処理と、
ここで、前記第２ＦＡＸ指示情報は、前記第２ＦＡＸ画像データを、前記ＦＡＸ送信処理を実行して送信することを、前記画像処理装置に指示するための情報である、
を、前記プログラムは前記携帯端末にさらに実行させることを特徴とする請求項９に記載のプログラム。
【請求項１１】
前記第１入力操作によって指定された前記スキャン画像設定情報を、前記記憶部の前記第１デフォルトスキャン画像設定領域に記憶させる第２記憶処理と、
第５画面を前記表示部に表示させる第５表示処理と、
ここで、前記第５画面は、第７入力操作を前記タッチパネルを介して受付可能な画面であり、
前記記憶部から、前記記憶部の第２デフォルトスキャン画像設定領域に予め記憶された前記スキャン画像設定情報を読出す第３読出処理と、
ここで、前記第２デフォルトスキャン画像設定領域は、前記第１デフォルトスキャン画像設定領域とは異なる領域であり、
前記第７入力操作が受け付けられたことに応じて、第６画面を前記表示部に表示させる第６表示処理と、
ここで、前記第６画面は、第８入力操作を前記タッチパネルを介して受け付け可能な画面であり、かつ、前記第３読出処理で前記第２デフォルトスキャン画像設定領域から読出された前記スキャン画像設定情報を示す第４設定画像を含んでおり、
前記第８入力操作が受け付けられたことに応じて、第３スキャン指示情報を前記通信部を介して前記画像処理装置へ送信する第３送信処理と、
ここで、前記第３スキャン指示情報は、前記第３読出処理で第２デフォルトスキャン画像設定領域から読出された前記スキャン画像設定情報を用いた前記スキャン処理によって第２スキャン画像データを生成することを、前記画像処理装置に指示するための情報であり、
前記スキャン処理によって生成された前記第２スキャン画像データを、前記通信部を介して前記画像処理装置から受信する第５受信処理と、
前記第５受信処理で受信された前記第２スキャン画像データを前記記憶部に記憶させる第３記憶処理と、
を前記プログラムは前記携帯端末にさらに実行させることを特徴とする請求項１０に記載のプログラム。
【請求項１２】
前記第２受信処理は、前記第５入力操作で選択された画像処理装置のスキャン能力情報と、ＦＡＸ能力情報と、を、前記通信部を介して当該選択された画像処理装置から受信し、
ここで、前記スキャン能力情報は、前記スキャン画像データの各種設定項目に設定可能な値のうち、当該選択された画像処理装置がサポートする値を示す情報であり、
前記ＦＡＸ能力情報は、前記ＦＡＸ画像データの各種設定項目に設定可能な値のうち、当該選択された画像処理装置がサポートする値を示す情報であり、
前記第２受信処理で受信した前記スキャン能力情報および前記ＦＡＸ能力情報を反映した前記スキャン画像設定情報を、前記第１デフォルトスキャン画像設定領域に記憶させる第４記憶処理と、
前記第２受信処理で受信した前記スキャン能力情報を反映した前記スキャン画像設定情報を、前記第２デフォルトスキャン画像設定領域に記憶させる第５記憶処理と、
を、前記プログラムは前記携帯端末にさらに実行させ、
前記第１読出処理は、前記第４記憶処理で記憶された前記スキャン画像設定情報を、前記第１デフォルトスキャン画像設定領域から読出し、
前記第３読出処理は、前記第５記憶処理で記憶された前記スキャン画像設定情報を、前記第２デフォルトスキャン画像設定領域から読出すことを特徴とする請求項１１に記載のプログラム。
【請求項１３】
前記第５表示処理で表示される前記第５画面は、前記第７入力操作と、第９入力操作とを、前記タッチパネルを介して受け付け可能な画面であり、
前記第４表示処理は、前記第９入力操作が受け付けられたことに応じて前記第４画面を表示させ、
ここで、前記第４画面は、前記第６入力操作と、第１０入力操作と、を前記タッチパネルを介して受け付け可能な画面であり、
前記第１表示処理は、前記第１０入力操作が受け付けられたことに応じて前記第１画面を表示させ、
ここで、前記第１画面は、前記第１入力操作と、前記第２入力操作とを、前記タッチパネルを介して受け付け可能な画面であり、かつ、前記第１読出処理で前記第１デフォルトスキャン画像設定領域から読出された前記スキャン画像設定情報を示す前記第２設定画像を含んでおり、
前記第２入力操作が受け付けられたことに応じて、前記第１送信処理と、前記第１受信処理と、前記第１生成処理と、前記第２表示処理と、前記第１ＦＡＸ画像データ生成処理と、前記第２送信処理と、前記第１記憶処理と、を前記プログラムは前記携帯端末に実行させ、
前記第６入力操作が受け付けられたことに応じて、前記第３生成処理と、前記第２ＦＡＸ画像データ生成処理と、前記第３送信処理と、を前記プログラムは前記携帯端末にさらに実行させ、
前記第７入力操作が受け付けられたことに応じて前記第６画面を前記表示部に表示させる前記第６表示処理と、前記第３送信処理と、前記第５受信処理と、前記第３記憶処理と、
ここで、前記第６画面は、前記第８入力操作を、前記タッチパネルを介して受け付け可能な画面であり、かつ、前記第３読出処理で前記第２デフォルトスキャン画像設定領域から読出された前記スキャン画像設定情報を示す前記第４設定画像を含んでいる画面である、
を、前記プログラムは前記携帯端末にさらに実行させることを特徴とする請求項１２に記載のプログラム。
【請求項１４】
前記第２表示処理は、
前記スキャン画像データの画像サイズを示す値が、前記ＦＡＸ送信処理で送信可能なＦＡＸ画像データの画像サイズに含まれない画像サイズを示していると前記第１判断処理で判断したことに応じて、第１の態様の前記第２画面を表示させ、
前記スキャン画像データの画像サイズが、前記ＦＡＸ送信処理で送信可能なＦＡＸ画像データの画像サイズに含まれる画像サイズを示していると前記第１判断処理で判断したことに応じて、前記第１の態様とは異なる第２の態様の前記第２画面を表示させることを特徴とする請求項６〜１３の何れか１項に記載のプログラム。
【請求項１５】
前記第１判断処理は、前記第１入力操作によって指定された前記スキャン画像設定情報の値のうち、前記スキャン画像データの画像サイズを示す値が、前記画像処理装置による前記ＦＡＸ送信処理で送信可能な前記ＦＡＸ画像データの画像サイズに含まれない画像サイズを示しているか否かを判断し、
前記第１の態様の前記第２画面は、前記スキャン画像データを変更する処理を実行することを示す第１特定画像を含み、
前記第２の態様の前記第２画面は、前記第１特定画像を含まないことを特徴とする請求項１４に記載のプログラム。
【請求項１６】
前記第１判断処理は、前記第１入力操作によって指定された前記スキャン画像設定情報の値のうち、前記スキャン画像データの画像サイズを示す値が、前記画像処理装置による前記ＦＡＸ送信処理で送信可能な前記ＦＡＸ画像データの画像サイズに含まれない画像サイズを示しているか否かを判断し、
前記第１の態様の前記第２画面は、前記第１入力操作によって指定された前記スキャン画像設定情報の値のうち、前記スキャン画像データの画像サイズを示す値が、前記画像処理装置による前記ＦＡＸ送信処理で送信可能な前記ＦＡＸ画像データの画像サイズに含まれないことを示す第２特定画像を含み、
前記第２の態様の前記第２画面は、前記第２特定画像を含まないことを特徴とする請求項１４に記載のプログラム。
【請求項１７】
前記スキャン画像設定情報は、前記スキャン画像データのサイズ、カラー、および解像度を示す値を含んでおり、
前記第１ＦＡＸ画像設定情報は、前記ＦＡＸ画像データのサイズ、カラー、および解像度を示す値を含んでいることを特徴とする請求項１〜１６の何れか１項に記載のプログラム。
【請求項１８】
画像処理装置に接続可能な携帯端末であって、前記携帯端末は表示部および通信部を備えており、前記表示部はタッチパネルを備えており、
第１画面を前記表示部に表示させる第１表示手段と、
ここで、前記第１画面は、第１入力操作と、第２入力操作とを、前記タッチパネルを介して受け付け可能な画面であり、前記第１入力操作は、スキャン画像設定情報を指定する操作であり、前記スキャン画像設定情報は、スキャン処理によって生成されるスキャン画像データの各種設定項目の設定情報であり、前記スキャン処理は、前記画像処理装置で実行される処理であり、
前記第２入力操作が受け付けられたことに応じて、第１スキャン指示情報を前記通信部を介して前記画像処理装置へ送信する第１送信手段と、
ここで、前記第１スキャン指示情報は、前記第１入力操作によって指定された前記スキャン画像設定情報を用いた前記スキャン処理によって第１スキャン画像データを生成することを、前記画像処理装置に指示するための情報であり、
前記スキャン処理によって生成された前記第１スキャン画像データを、前記通信部を介して前記画像処理装置から受信する第１受信手段と、
前記第１入力操作によって指定された、前記スキャン画像設定情報を反映した第１ＦＡＸ画像設定情報を生成する第１生成手段と、
ここで、前記第１ＦＡＸ画像設定情報は、ＦＡＸ送信処理で送信されるＦＡＸ画像データの各種設定項目の設定情報であり、前記ＦＡＸ送信処理は、前記画像処理装置で実行される処理であり、
前記第１生成手段が前記第１ＦＡＸ画像設定情報を生成したことに応じて、第２画面を前記表示部に表示させる第２表示手段と、
ここで、前記第２画面は、前記第１生成手段で生成された前記第１ＦＡＸ画像設定情報を示す第１設定画像と、前記第１スキャン画像データのプレビュー画像と、を含む画面であり、かつ、第３入力操作と、第４入力操作とを、前記タッチパネルを介して受け付け可能な画面であり、前記第３入力操作は、前記ＦＡＸ送信処理の送信先を示す宛先情報を指定する操作であり、
第１ＦＡＸ画像データを生成する第１ＦＡＸ画像データ生成手段と、
ここで、前記第１ＦＡＸ画像データは、前記第１ＦＡＸ画像設定情報を用いて、前記第１スキャン画像データから生成される前記ＦＡＸ画像データであり、
前記第４入力操作が受け付けられたことに応じて、第１ＦＡＸ指示情報と、前記第１ＦＡＸ画像データとを、前記通信部を介して前記画像処理装置へ送信する第２送信手段と、
ここで、前記第１ＦＡＸ指示情報は、前記第１ＦＡＸ画像データを、前記ＦＡＸ送信処理を実行して前記宛先情報が示す送信先へ送信することを、前記画像処理装置に指示するための情報である、
を備えることを特徴とする携帯端末。
【請求項１９】
タッチパネルを備えた表示部および第１通信部を有する携帯端末と、第２通信部を有する画像処理装置と、を備えた通信システムであって、
前記携帯端末は、
第１画面を前記表示部に表示させる第１表示手段と、
ここで、前記第１画面は、第１入力操作と、第２入力操作とを、前記タッチパネルを介して受け付け可能な画面であり、前記第１入力操作は、スキャン画像設定情報を指定する操作であり、前記スキャン画像設定情報は、スキャン処理によって生成されるスキャン画像データの各種設定項目の設定情報であり、前記スキャン処理は、前記画像処理装置で実行される処理であり、
前記第２入力操作が受け付けられたことに応じて、第１スキャン指示情報を前記第１通信部を介して前記画像処理装置へ送信する第１送信手段と、
ここで、前記第１スキャン指示情報は、前記第１入力操作によって指定された前記スキャン画像設定情報を用いた前記スキャン処理によって第１スキャン画像データを生成することを、前記画像処理装置に指示するための情報であり、
を備え、
前記画像処理装置は、
前記第１スキャン指示情報を前記第２通信部を介して受信する第１受信手段と、
前記第１入力操作によって指定された前記スキャン画像設定情報を用いた前記スキャン処理を実行するスキャン実行手段と、
前記スキャン処理によって生成された前記第１スキャン画像データを、前記第２通信部を介して前記携帯端末へ送信するスキャン画像データ送信手段と、
を備え、
前記携帯端末は、
前記第１スキャン画像データを、前記第１通信部を介して前記画像処理装置から受信する第１受信手段と、
前記第１入力操作によって指定された、前記スキャン画像設定情報を反映した第１ＦＡＸ画像設定情報を生成する第１生成手段と、
ここで、前記第１ＦＡＸ画像設定情報は、ＦＡＸ送信処理で送信されるＦＡＸ画像データの各種設定項目の設定情報であり、前記ＦＡＸ送信処理は、前記画像処理装置で実行される処理であり、
前記第１生成手段が前記第１ＦＡＸ画像設定情報を生成したことに応じて、第２画面を前記表示部に表示させる第２表示手段と、
ここで、前記第２画面は、前記第１生成手段で生成された前記第１ＦＡＸ画像設定情報を示す第１設定画像と、前記第１スキャン画像データのプレビュー画像と、を含む画面であり、かつ、第３入力操作と、第４入力操作とを、前記タッチパネルを介して受け付け可能な画面であり、前記第３入力操作は、前記ＦＡＸ送信処理の送信先を示す宛先情報を指定する操作であり、
第１ＦＡＸ画像データを生成する第１ＦＡＸ画像データ生成手段と、
ここで、前記第１ＦＡＸ画像データは、前記第１ＦＡＸ画像設定情報を用いて、前記第１スキャン画像データから生成される前記ＦＡＸ画像データであり、
前記第４入力操作が受け付けられたことに応じて、第１ＦＡＸ指示情報と、前記第１ＦＡＸ画像データとを、前記第１通信部を介して前記画像処理装置へ送信する第２送信手段と、
ここで、前記第１ＦＡＸ指示情報は、前記第１ＦＡＸ画像データを、前記ＦＡＸ送信処理を実行して前記宛先情報が示す送信先へ送信することを、前記画像処理装置に指示するための情報である、
をさらに備え、
前記画像処理装置は、
前記第１ＦＡＸ指示情報および前記第１ＦＡＸ画像データを前記第２通信部を介して受信する第２受信手段と、
前記第１ＦＡＸ画像データを、前記第２通信部を介して前記宛先情報が示す送信先へ送信するＦＡＸ画像データ送信手段と、
をさらに備えることを特徴とする通信システム。
【発明の詳細な説明】
【技術分野】
【０００１】
本明細書に記載の技術は、ＦＡＸ装置に画像データをＦＡＸ送信させるプログラム、及び当該プログラムを実行する携帯端末に関する。
【背景技術】
【０００２】
携帯端末にインストール可能なプログラムであって、当該携帯端末に接続された画像処理装置にＦＡＸ送信を実行させるプログラムが従来から知られている（例えば、特許文献１、２を参照）。
【先行技術文献】
【特許文献】
【０００３】
【特許文献１】特開２００４−２３６０３１号公報
【特許文献２】特開２００６−２１１４７２号公報
【発明の概要】
【発明が解決しようとする課題】
【０００４】
上記のプログラムにおいて、例えば、以下の処理を実行させることが可能である。画像処理装置にスキャン処理を実行させてスキャン画像データを生成させる。次に、生成させたスキャン画像データをＦＡＸ送信する、ＦＡＸ送信処理を画像処理装置に実行させる。この処理を実行させる場合、スキャン処理によって生成される画像の各種設定を示すスキャン画像設定と、ＦＡＸ送信処理で送信されるＦＡＸ画像データの各種設定を示すＦＡＸ画像設定が必要になる場合がある。しかし、スキャン画像設定とＦＡＸ画像設定の２つの設定をユーザが行う場合には、ユーザの負担が大きくなり、好ましくない。
【課題を解決するための手段】
【０００５】
（１）本明細書に記載されているプログラムは、画像処理装置に接続可能な携帯端末が読み取り可能なプログラムであって、携帯端末は表示部および通信部を備えており、表示部はタッチパネルを備えており、第１画面を表示部に表示させる第１表示処理と、ここで、第１画面は、第１入力操作と、第２入力操作とを、タッチパネルを介して受け付け可能な画面であり、第１入力操作は、スキャン画像設定情報を指定する操作であり、スキャン画像設定情報は、スキャン処理によって生成されるスキャン画像データの各種設定項目の設定情報であり、スキャン処理は、画像処理装置で実行される処理であり、第２入力操作が受け付けられたことに応じて、第１スキャン指示情報を通信部を介して画像処理装置へ送信する第１送信処理と、ここで、第１スキャン指示情報は、第１入力操作によって指定されたスキャン画像設定情報を用いたスキャン処理によって第１スキャン画像データを生成することを、画像処理装置に指示するための情報であり、スキャン処理によって生成された第１スキャン画像データを、通信部を介して画像処理装置から受信する第１受信処理と、第１入力操作によって指定された、スキャン画像設定情報を反映した第１ＦＡＸ画像設定情報を生成する第１生成処理と、ここで、第１ＦＡＸ画像設定情報は、ＦＡＸ送信処理で送信されるＦＡＸ画像データの各種設定項目の設定情報であり、ＦＡＸ送信処理は、画像処理装置で実行される処理であり、第１生成処理が第１ＦＡＸ画像設定情報を生成したことに応じて、第２画面を表示部に表示させる第２表示処理と、ここで、第２画面は、第１生成処理で生成された第１ＦＡＸ画像設定情報を示す第１設定画像と、第１スキャン画像データのプレビュー画像と、を含む画面であり、かつ、第３入力操作と、第４入力操作とを、タッチパネルを介して受け付け可能な画面であり、第３入力操作は、ＦＡＸ送信処理の送信先を示す宛先情報を指定する操作であり、第１ＦＡＸ画像データを生成する第１ＦＡＸ画像データ生成処理と、ここで、第１ＦＡＸ画像データは、第１ＦＡＸ画像設定情報を用いて、第１スキャン画像データから生成されるＦＡＸ画像データであり、第４入力操作が受け付けられたことに応じて、第１ＦＡＸ指示情報と、第１ＦＡＸ画像データとを、通信部を介して画像処理装置へ送信する第２送信処理と、ここで、第１ＦＡＸ指示情報は、第１ＦＡＸ画像データを、ＦＡＸ送信処理を実行して宛先情報が示す送信先へ送信することを、画像処理装置に指示するための情報である、をプログラムは携帯端末に実行させることを特徴とする。
【０００６】
上記構成によれば、スキャン画像設定情報に基づいて、第１ＦＡＸ画像設定情報を生成することができる。これにより、ユーザが第１ＦＡＸ画像設定を行う手間を低減することが可能となる。
【０００７】
（２）好ましくは、本明細書に記載されているプログラムは、第１ＦＡＸ画像設定情報と、スキャン画像設定情報とは、共通する設定項目である共通設定項目を持ち、第１生成処理は、共通設定項目について、第１入力操作によって指定されたスキャン画像設定情報の値と同一の値を有する第１ＦＡＸ画像設定情報を生成することを特徴とする。
【０００８】
上記構成によれば、スキャン画像設定情報の設定内容を、第１ＦＡＸ画像設定情報に流用することが可能となる。ユーザが第１ＦＡＸ画像設定を行う手間を、省くことが可能となる。
【０００９】
（３）好ましくは、本明細書に記載されているプログラムは、
携帯端末の記憶部から、記憶部の第１デフォルトスキャン画像設定領域に予め記憶されたスキャン画像設定情報を読出す第１読出処理を、プログラムは携帯端末にさらに実行させ、第１表示処理は、第１読出処理で第１デフォルトスキャン画像設定領域から読出されたスキャン画像設定情報を示す第２設定画像を含む第１画面を表示部に表示させ、第１入力操作は、第１読出処理で第１デフォルトスキャン画像設定領域から読出されたスキャン画像設定情報の値の変更を指定する入力操作であり、プログラムは、第１入力操作が受け付けられたことに応じて、スキャン画像設定情報の値を変更する第１変更処理を携帯端末にさらに実行させることを特徴とする。
【００１０】
上記構成によれば、予め定められた第１デフォルトスキャン画像設定情報を変更することで、スキャン画像設定情報を生成することができる。
【００１１】
（４）好ましくは、本明細書に記載されているプログラムは、第１送信処理は、第１入力操作が受け付けられてから、第２入力操作が受け付けられた場合に、第１スキャン指示情報を、画像処理装置へ送信し、第１入力操作が受け付けられることなく、第２入力操作が受け付けられた場合に、第２スキャン指示情報を、画像処理装置へ送信し、ここで、第２スキャン指示情報は、第１読出処理によって第１デフォルトスキャン画像設定領域から読出されたスキャン画像設定情報を用いたスキャン処理によって第１スキャン画像データを生成することを、画像処理装置に指示するための情報であり、第１生成処理は、第１入力操作が受け付けられてから、第２入力操作が受け付けられた場合に、第１入力操作によって指定された、スキャン画像設定情報を反映した第１ＦＡＸ画像設定情報を生成し、第１入力操作が受け付けられることなく、第２入力操作が受け付けられた場合に、第１読出処理によって第１デフォルトスキャン画像設定領域から読出されたスキャン画像設定情報を反映した第１ＦＡＸ画像設定情報を生成することを特徴とする。
【００１２】
上記構成によれば、第１デフォルトスキャン画像設定情報に基づいてスキャン処理を実行することが可能となる。
【００１３】
（５）好ましくは、本明細書に記載されているプログラムは、第２表示処理は、第１生成処理で第１ＦＡＸ画像設定情報が生成されたことに応じて、第１ＦＡＸ画像設定情報が反映されたプレビュー画像を、表示部に表示させることを特徴とする。
【００１４】
上記構成によれば、スキャン設定の変更入力を行ってからスキャン指示した場合、および、デフォルトのスキャン設定のまま指示した場合のいずれにおいても、ユーザは、ＦＡＸ画像の内容を確実に知ることができる。
【００１５】
（６）好ましくは、本明細書に記載されているプログラムは、第１入力操作によって指定されたスキャン画像設定情報の値のうち、スキャン画像データの画像サイズを示す値が、画像処理装置によるＦＡＸ送信処理で送信可能なＦＡＸ画像データの画像サイズに含まれる画像サイズを示しているか否かを判断する第１判断処理を、プログラムは携帯端末にさらに実行させ、スキャン画像設定情報の値が、ＦＡＸ送信処理で送信可能なＦＡＸ画像データの画像サイズに含まれる画像サイズを示していると第１判断処理で判断したことに応じて、第１生成処理が実行され、スキャン画像設定情報の値が、ＦＡＸ送信処理で送信可能なＦＡＸ画像データの画像サイズに含まれない画像サイズを示していると第１判断処理で判断したことに応じて、第２ＦＡＸ画像設定情報を生成する第２生成処理を、携帯端末にさらに実行させ、ここで、第２ＦＡＸ画像設定情報は、スキャン画像データの画像サイズを、ＦＡＸ送信処理で送信可能なＦＡＸ画像データの画像サイズに変更したＦＡＸ画像データを第１ＦＡＸ画像データ生成処理において生成するために用いられる情報であり、第１ＦＡＸ画像データ生成処理は、第１生成処理が第１ＦＡＸ画像設定情報を生成した場合に、第１ＦＡＸ画像設定情報を用いて、第１スキャン画像データから第１ＦＡＸ画像データを生成し、第２生成処理が第２ＦＡＸ画像設定情報を生成した場合に、第２ＦＡＸ画像設定情報を用いて、第１スキャン画像データから第１ＦＡＸ画像データを生成することを特徴とする。
【００１６】
上記構成によれば、スキャン画像データのサイズが、ＦＡＸ送信処理で送信可能なＦＡＸ画像データのサイズに含まれなくなる事態が発生した場合に、ＦＡＸ画像データの画像サイズを変更することでＦＡＸ送信処理を実行可能にすることができる。
【００１７】
（７）好ましくは、本明細書に記載されているプログラムは、携帯端末の記憶部から、記憶部のデフォルトＦＡＸ画像設定領域に予め記憶されたデフォルトＦＡＸ画像設定情報を読出す第２読出処理を、プログラムは携帯端末にさらに実行させ、第２生成処理は、スキャン画像設定情報の値が、ＦＡＸ送信処理で送信可能なＦＡＸ画像データの画像サイズに含まれない画像サイズを示していると第１判断処理で判断したことに応じて、第２読出処理で読出されたデフォルトＦＡＸ画像設定情報を反映した第２ＦＡＸ画像設定情報を生成することを特徴とする。
【００１８】
上記構成によれば、ＦＡＸ送信処理で送信可能なＦＡＸ画像データのサイズに含まれなくなる事態が発生した場合に、ＦＡＸ画像データの画像サイズを、予め定められた値に変更することが可能となる。確実にＦＡＸ送信処理を実行することができる。
【００１９】
（８）好ましくは、本明細書に記載されているプログラムは、第３画面を表示部に表示させる第３表示処理と、ここで、第３画面は、スキャン処理およびＦＡＸ送信処理を実行させる画像処理装置を選択する第５入力操作を、タッチパネルを介して受け付け可能な画面であり、第５入力操作が受け付けられたことに応じて、選択された画像処理装置が送信可能なＦＡＸ画像データの画像サイズを示すサイズ情報を、通信部を介して画像処理装置から受信する第２受信処理と、を、プログラムは携帯端末にさらに実行させ、第１判断処理は、第１入力操作によって指定されたスキャン画像設定情報の値のうち、スキャン画像データの画像サイズを示す値が、第２受信処理によって受信されたサイズ情報が示すＦＡＸ画像データの画像サイズに含まれない画像サイズを示しているか否かを判断することを特徴とする。
【００２０】
上記構成によれば、スキャン画像データのサイズが、選択された画像処理装置が送信可能なＦＡＸ画像データのサイズに含まれなくなる事態が発生したことを、ユーザに適切に報知することが可能となる。
【００２１】
（９）好ましくは、本明細書に記載されているプログラムは、第１ＦＡＸ指示情報と、第１生成処理で生成された第１ＦＡＸ画像設定情報を用いて第１ＦＡＸ画像データ生成処理で生成された第１ＦＡＸ画像データと、を第２送信処理で送信する場合に、第１生成処理で生成された第１ＦＡＸ画像設定情報の値が、第２読出処理でデフォルトＦＡＸ画像設定領域から読出されたデフォルトＦＡＸ画像設定情報の値と一致するか否かを判断する第２判断処理と、第１ＦＡＸ画像設定情報の値がデフォルトＦＡＸ画像設定領域から読出されたデフォルトＦＡＸ画像設定情報の値と一致しないと第２判断処理で判断したことに応じて、第１ＦＡＸ画像設定情報を、デフォルトＦＡＸ画像設定領域に、デフォルトＦＡＸ画像設定情報として上書き記憶させる第１記憶処理と、を、プログラムは携帯端末にさらに実行させることを特徴とする。
【００２２】
上記構成によれば、変更後の第１ＦＡＸ画像設定情報を、デフォルトＦＡＸ画像設定情報として用いることが可能となる。デフォルトＦＡＸ画像設定情報を最新の状態に更新することができる。
【００２３】
（１０）好ましくは、本明細書に記載されているプログラムは、第４画面を表示部に表示させる第４表示処理と、ここで、第４画面は、第６入力操作をタッチパネルを介して受け付け可能な画面であり、第６入力操作が受け付けられたことに応じて、第２読出処理でデフォルトＦＡＸ画像設定領域から読出されたデフォルトＦＡＸ画像設定情報を反映した第３ＦＡＸ画像設定情報を生成する第３生成処理と、ここで、第３ＦＡＸ画像設定情報は、記憶画像データから生成されるＦＡＸ画像データの各種設定項目の設定情報であり、記憶画像データは、記憶部に予め記憶された画像データであり、第２ＦＡＸ画像データを生成する第２ＦＡＸ画像データ生成処理と、ここで、第２ＦＡＸ画像データは、第３ＦＡＸ画像設定情報を用いて、記憶画像データから生成される、ＦＡＸ画像データであり、第２ＦＡＸ指示情報と、第２ＦＡＸ画像データとを、通信部を介して画像処理装置へ送信する第３送信処理と、ここで、第２ＦＡＸ指示情報は、第２ＦＡＸ画像データを、ＦＡＸ送信処理を実行して送信することを、画像処理装置に指示するための情報である、を、プログラムは携帯端末にさらに実行させることを特徴とする。
【００２４】
上記構成によれば、デフォルトＦＡＸ画像設定情報の上書きが発生した後に、記憶画像データを用いたＦＡＸ送信を実行する場合にも、上書きされたデフォルトＦＡＸ画像設定情報に基づいて設定を行うことができる。スキャン画像データを用いてＦＡＸ送信を実行する場合と、記憶画像データを用いてＦＡＸ送信を実行する場合とで、ＦＡＸ設定が異なり、困惑することがない。
【００２５】
（１１）好ましくは、本明細書に記載されているプログラムは、第１入力操作によって指定されたスキャン画像設定情報を、記憶部の第１デフォルトスキャン画像設定領域に記憶させる第２記憶処理と、第５画面を表示部に表示させる第５表示処理と、ここで、第５画面は、第７入力操作をタッチパネルを介して受付可能な画面であり、記憶部から、記憶部の第２デフォルトスキャン画像設定領域に予め記憶されたスキャン画像設定情報を読出す第３読出処理と、ここで、第２デフォルトスキャン画像設定領域は、第１デフォルトスキャン画像設定領域とは異なる領域であり、第７入力操作が受け付けられたことに応じて、第６画面を表示部に表示させる第６表示処理と、ここで、第６画面は、第８入力操作をタッチパネルを介して受け付け可能な画面であり、かつ、第３読出処理で第２デフォルトスキャン画像設定領域から読出されたスキャン画像設定情報を示す第４設定画像を含んでおり、第８入力操作が受け付けられたことに応じて、第３スキャン指示情報を通信部を介して画像処理装置へ送信する第３送信処理と、ここで、第３スキャン指示情報は、第３読出処理で第２デフォルトスキャン画像設定領域から読出されたスキャン画像設定情報を用いたスキャン処理によって第２スキャン画像データを生成することを、画像処理装置に指示するための情報であり、スキャン処理によって生成された第２スキャン画像データを、通信部を介して画像処理装置から受信する第５受信処理と、第５受信処理で受信された第２スキャン画像データを記憶部に記憶させる第３記憶処理とをプログラムは携帯端末にさらに実行させることを特徴とする。
【００２６】
上記構成によれば、スキャン処理で画像データを生成して記憶部に記憶させる処理を実行する場合に、当該スキャン処理で用いられるスキャン画像設定情報の内容を、第４設定画像でユーザに確認させることができる。
【００２７】
（１２）好ましくは、本明細書に記載されているプログラムは、第２受信処理は、第５入力操作で選択された画像処理装置のスキャン能力情報と、ＦＡＸ能力情報と、を、通信部を介して当該選択された画像処理装置から受信し、ここで、スキャン能力情報は、スキャン画像データの各種設定項目に設定可能な値のうち、当該選択された画像処理装置がサポートする値を示す情報であり、ＦＡＸ能力情報は、ＦＡＸ画像データの各種設定項目に設定可能な値のうち、当該選択された画像処理装置がサポートする値を示す情報であり、第２受信処理で受信したスキャン能力情報およびＦＡＸ能力情報を反映したスキャン画像設定情報を、第１デフォルトスキャン画像設定領域に記憶させる第４記憶処理と、第２受信処理で受信したスキャン能力情報を反映したスキャン画像設定情報を、第２デフォルトスキャン画像設定領域に記憶させる第５記憶処理と、を、プログラムは携帯端末にさらに実行させ、第１読出処理は、第４記憶処理で記憶されたスキャン画像設定情報を、第１デフォルトスキャン画像設定領域から読出し、第３読出処理は、第５記憶処理で記憶されたスキャン画像設定情報を、第２デフォルトスキャン画像設定領域から読出すことを特徴とする。
【００２８】
上記構成によれば、選択された画像処理装置のスキャン処理の能力およびＦＡＸ送信処理の能力に基づいて、スキャン画像設定情報のデフォルト値を適切に設定することが可能となる。
【００２９】
（１３）好ましくは、本明細書に記載されているプログラムは、第５表示処理で表示される第５画面は、第７入力操作と、第９入力操作とを、タッチパネルを介して受け付け可能な画面であり、第４表示処理は、第９入力操作が受け付けられたことに応じて第４画面を表示させ、ここで、第４画面は、第６入力操作と、第１０入力操作と、をタッチパネルを介して受け付け可能な画面であり、第１表示処理は、第１０入力操作が受け付けられたことに応じて第１画面を表示させ、ここで、第１画面は、第１入力操作と、第２入力操作とを、タッチパネルを介して受け付け可能な画面であり、かつ、第１読出処理で第１デフォルトスキャン画像設定領域から読出されたスキャン画像設定情報を示す第２設定画像を含んでおり、第２入力操作が受け付けられたことに応じて、第１送信処理と、第１受信処理と、第１生成処理と、第２表示処理と、第１ＦＡＸ画像データ生成処理と、第２送信処理と、第１記憶処理と、をプログラムは携帯端末に実行させ、第６入力操作が受け付けられたことに応じて、第３生成処理と、第２ＦＡＸ画像データ生成処理と、第３送信処理と、をプログラムは携帯端末にさらに実行させ、第７入力操作が受け付けられたことに応じて第６画面を表示部に表示させる第６表示処理と、第３送信処理と、第５受信処理と、第３記憶処理と、ここで、第６画面は、第８入力操作を、タッチパネルを介して受け付け可能な画面であり、かつ、第３読出処理で第２デフォルトスキャン画像設定領域から読出されたスキャン画像設定情報を示す第４設定画像を含んでいる画面である、を、プログラムは携帯端末にさらに実行させることを特徴とする。
【００３０】
上記構成によれば、ユーザがＦＡＸ送信処理を選択した場合には、確実にＦＡＸ送信処理を完了させることができる。また、ユーザがスキャン処理を選択した場合には、ＦＡＸ送信処理に関する設定に影響されないスキャン設定を用いて、スキャン処理を実行することができる。
【００３１】
（１４）好ましくは、本明細書に記載されているプログラムは、第２表示処理は、スキャン画像データの画像サイズを示す値が、ＦＡＸ送信処理で送信可能なＦＡＸ画像データの画像サイズに含まれない画像サイズを示していると第１判断処理で判断したことに応じて、第１の態様の第２画面を表示させ、スキャン画像データの画像サイズが、ＦＡＸ送信処理で送信可能なＦＡＸ画像データの画像サイズに含まれる画像サイズを示していると第１判断処理で判断したことに応じて、第１の態様とは異なる第２の態様の第２画面を表示させることを特徴とする。
【００３２】
上記構成によれば、スキャン画像データのサイズが、ＦＡＸ送信処理で送信可能なＦＡＸ画像データのサイズに含まれなくなる事態が発生したことを、ユーザに適切に報知することが可能となる。
【００３３】
（１５）好ましくは、本明細書に記載されているプログラムは、第１判断処理は、第１入力操作によって指定されたスキャン画像設定情報の値のうち、スキャン画像データの画像サイズを示す値が、画像処理装置によるＦＡＸ送信処理で送信可能なＦＡＸ画像データの画像サイズに含まれない画像サイズを示しているか否かを判断し、第１の態様の第２画面は、スキャン画像データを変更する処理を実行することを示す第１特定画像を含み、第２の態様の第２画面は、第１特定画像を含まないことを特徴とする。
【００３４】
上記構成によれば、スキャン画像データを変更してＦＡＸ画像データを生成したことを、ユーザに適切に報知することが可能となる。
【００３５】
（１６）好ましくは、本明細書に記載されているプログラムは、第１判断処理は、第１入力操作によって指定されたスキャン画像設定情報の値のうち、スキャン画像データの画像サイズを示す値が、画像処理装置によるＦＡＸ送信処理で送信可能なＦＡＸ画像データの画像サイズに含まれない画像サイズを示しているか否かを判断し、第１の態様の第２画面は、第１入力操作によって指定されたスキャン画像設定情報の値のうち、スキャン画像データの画像サイズを示す値が、画像処理装置によるＦＡＸ送信処理で送信可能なＦＡＸ画像データの画像サイズに含まれないことを示す第２特定画像を含み、第２の態様の第２画面は、第２特定画像を含まないことを特徴とする。
【００３６】
上記構成によれば、スキャン画像データのサイズが、ＦＡＸ送信処理で送信可能なＦＡＸ画像データのサイズに含まれなくなる事態が発生したことを、ユーザに警告することが可能となる。
【００３７】
（１７）好ましくは、本明細書に記載されているプログラムは、スキャン画像設定情報は、スキャン画像データのサイズ、カラー、および解像度を示す値を含んでおり、第１ＦＡＸ画像設定情報は、ＦＡＸ画像データのサイズ、カラー、および解像度を示す値を含んでいることを特徴とする。
【００３８】
上記構成によれば、スキャン画像データのサイズ、カラー、および解像度を設定するための情報等に基づいて、スキャン処理やＦＡＸ送信処理の設定を適切に設定することが可能となる。
【００３９】
上記のプログラムを実行する携帯端末、及び、上記の携帯端末および画像処理装置を含んだ通信システムも、新規で有用である。
【図面の簡単な説明】
【００４０】
【図１】ＦＡＸシステム１００のブロック図である。
【図２Ａ】複合機制御プログラム６５が実行する処理のフローチャートである。
【図２Ｂ】複合機制御プログラム６５が実行する処理のフローチャートである。
【図３】複合機制御プログラム６５が実行する処理のフローチャートである。
【図４】複合機制御プログラム６５が実行する処理のフローチャートである。
【図５】複合機制御プログラム６５が実行する処理のフローチャートである。
【図６】複合機１０の動作フローチャートである。
【図７】メイン画面Ｇ１の表示例である。
【図８】ソース選択画面Ｇ２の表示例である。
【図９】スキャン設定画面Ｇ３の表示例である。
【図１０】ＦＡＸ送信画面Ｇ４の表示例である。
【図１１】ＦＡＸ送信画面Ｇ５の表示例である。
【図１２】データ選択画面Ｇ６の表示例である。
【図１３】プレビュー画面Ｇ７の表示例である。
【図１４】スキャン設定画面Ｇ８の表示例である。
【図１５】選択デバイス記憶テーブルＴＢ１の一例である。
【図１６】設定情報記憶テーブルＴＢ２の一例である。
【図１７】第１〜第３ＦＡＸ画像設定情報の設定内容の一例である。
【発明を実施するための形態】
【００４１】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００４２】
図１は、本実施形態におけるＦＡＸシステム１００の概略図である。図１に示されるＦＡＸシステム１００は、複合機１０および１０Ａと、携帯端末５０とで構成されている。複合機１０、１０Ａ及び携帯端末５０は、互いに通信可能である。すなわち、複合機１０、１０Ａ及び携帯端末５０は、電気的に接続されている。複合機１０、１０Ａ及び携帯端末５０は、例えば、有線ＬＡＮ（Ｌｏｃａｌ  Ａｒｅａ  Ｎｅｔｗｏｒｋの略）、無線ＬＡＮ等の通信ネットワーク１０１を通じて接続されていてもよいし、ＵＳＢ（Ｕｎｉｖｅｒｓａｌ  Ｓｅｒｉａｌ  Ｂｕｓの略）ケーブル等によって接続されていてもよい。
【００４３】
［複合機１０］
複合機１０は、図１に示されるように、プリンタ部１１と、スキャナ部１２と、ＦＡＸ部１３と、表示部２３と、操作部２４と、通信部２５と、ＣＰＵ３１と、記憶部３２と、通信バス３３とを主に備える。複合機１０を構成する各構成要素は、通信バス３３を通じて相互に接続されている。複合機１０は、ＦＡＸ装置の一例である。なお、本実施形態に係るＦＡＸ装置は、複合機１０に限定されず、プリンタ部１１やスキャナ部１２を有しないＦＡＸ単能機であってもよい。
【００４４】
プリンタ部１１は、画像データで示される画像を記録用紙に記録するプリント動作を実行する。プリンタ部１１は、インクジェット方式や電子写真方式などの公知の記録方式のプリント動作を実行する。スキャナ部１２は、原稿に記録されている画像を読み取って画像データを生成するスキャン動作を実行する。
【００４５】
ＦＡＸ部１３は、ＦＡＸプロトコルに準拠した方式でコンテンツデータを送受信するＦＡＸ送信動作及びＦＡＸ受信動作を実行する。ＦＡＸ部１３は、例えば、固定電話回線によって接続された基地局Ａを通じて外部装置にコンテンツデータをＦＡＸ送信する。ＦＡＸ部１３は、操作部２４を通じて入力を受け付けた電話番号、或いはデータ記憶領域３２Ｂに記憶された電話番号のうち、操作部２４を通じて選択された電話番号を用いて、外部装置にＦＡＸ画像データをＦＡＸ送信する。
【００４６】
表示部２３は、各種情報を表示する表示画面を備える。表示部２３としては、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００４７】
操作部２４は、表示部２３の表示画面に表示されたオブジェクトを選択するユーザの操作を受け付ける。具体的には、操作部２４はボタンを有しており、押下されたボタンに対応づけられた各種の操作信号をＣＰＵ３１へ出力する。さらに、操作部２４は、表示部２３の表示画面に重畳された膜状のタッチセンサを有していてもよい。すなわち、表示部２３がタッチパネルディスプレイとして構成されてもよい。
【００４８】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク等であって、タッチ位置に表示されたオブジェクトが選択されてもよい。
【００４９】
タッチパネルとして実現される操作部２４は、表示部２３の表示画面をタッチするユーザ操作を受け付ける。また、操作部２４は、ユーザがタッチした表示画面上の位置を示す位置情報を出力する。位置情報は、例えば、表示画面の左上端を原点とし、右向きをｘ軸の正の向き、下向きをｙ軸の正の向きとしたｘ−ｙ平面上の座標（ｘ，ｙ）として表現できる。タッチセンサには、静電容量方式、抵抗膜方式等の周知の方式を採用することができる。
【００５０】
なお、本明細書中における「タッチ」とは、入力媒体を表示画面に接触させる操作全般を含む。すなわち、タッチした入力媒体を所定時間内に表示画面から離間させるタップ操作、タッチした入力媒体を表示画面上で静止させるロングタッチ操作、タッチした入力媒体を表示画面上でスライドさせるスライド操作、表示画面上をスライドする入力媒体の加速度が閾値以上であるフリック操作、表示画面上の異なる位置にタッチした２つの入力媒体を互いに近づける向きにスライドさせるピンチイン操作、表示画面上の異なる位置にタッチした２つの入力媒体を互いに離れる向きにスライドさせるピンチアウト操作等は、タッチの一例である。
【００５１】
また、入力媒体が表示画面に触れていなくても、表示画面との間の距離がごく僅かな位置まで入力媒体を近接させることを、前述の「タッチ」の概念に含めてもよい。さらに入力媒体とは、ユーザの指であってもよいし、タッチペン等であってもよい。以下、表示部５３に表示されたアイコンの位置のタップを、当該アイコンを選択するユーザ操作の一例として説明する。
【００５２】
通信部２５は、通信ネットワーク１０１を通じて外部装置と通信を行うためのインタフェースである。すなわち、複合機１０は、通信部２５を通じて携帯端末５０に各種情報を出力し、通信部２５を通じて携帯端末５０から各種データ又は各種情報を受信する。通信部２５の具体的な通信手順は特に限定されないが、例えば、Ｗｉ−Ｆｉ（Ｗｉ−Ｆｉ  Ａｌｌｉａｎｃｅの登録商標）を採用することができる。なお、複合機１０は、通信部２５に代えて、ＵＳＢケーブル等を装着するインタフェースを有していてもよい。
【００５３】
ＣＰＵ（Ｃｅｎｔｒａｌ  Ｐｒｏｃｅｓｓｉｎｇ  Ｕｎｉｔの略）３１は、複合機１０の全体動作を制御するものである。ＣＰＵ３１は、操作部２４から出力される各種情報、及び通信部２５を通じて外部装置から取得した各種情報等に基づいて、後述する各種プログラムを記憶部３２から取得して実行する。
【００５４】
記憶部３２は、プログラム記憶領域３２Ａと、データ記憶領域３２Ｂとを有する。プログラム記憶領域３２Ａには、ＯＳ（Ｏｐｅｒａｔｉｎｇ  Ｓｙｓｔｅｍの略）３４と、制御プログラム３５とが格納される。なお、本明細書中のプログラムは、単一のプログラムであってもよいし、複数のプログラムの集合体であってもよい。データ記憶領域３２Ｂには、制御プログラム３５の実行に必要なデータ或いは情報が記憶される。
【００５５】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００５６】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで“０ｘ３２”というテキスト形式の情報として保持され、別のコンピュータでは二進数表記で“１０”というバイナリ形式の情報として保持されてもよい。
【００５７】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００５８】
記憶部３２は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ３１が備えるバッファ等、或いはそれらの組み合わせによって構成される。
【００５９】
なお、記憶部３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００６０】
プログラム記憶領域３２Ａに記憶されているプログラムは、ＣＰＵ３１によって実行される。しかしながら、本明細書では、ＣＰＵ３１を省略して各プログラムの動作を説明することがある。すなわち、以下の説明において、「プログラムＡが処理Ａを実行する」という趣旨の記述は、「ＣＰＵ３１がプログラムＡに記述された処理Ａを実行する」ことを指してもよい。後述する携帯端末５０についても同様である。
【００６１】
また、プログラム記憶領域３２Ａに記憶されているプログラムは、事象を判断し、判断結果に応じて動作する。しかしながら、本明細書では、判断することを省略して各プログラムの動作を説明することがある。すなわち、以下の説明において、「制御プログラムが条件Ａに応じて、処理Ａを実行する」という趣旨の記述は、「制御プログラムは条件Ａであるか否かを判断する。制御プログラムは、肯定判断であることに応じて、処理Ａを実行する」ことを指してもよい。
【００６２】
また、プログラム記憶領域３２Ａに記憶されているプログラムは、データ等を特定し、抽出し、或いは選択する。プログラムがデータ等を特定するとは、例えば、複数のデータ等のうちから条件に合致するデータを特定し、当該データ等そのもの或いは当該データ等を識別する情報を、予め定められた記憶領域に記憶させる処理を指す。データ等を識別する情報とは、例えば、当該データ等を識別する識別情報、当該データ等が記憶された配列のインデックス、当該データ等が記憶された記憶領域のポインタ等である。プログラムがデータ等を抽出し、或いは選択する処理も同様である。
【００６３】
また、プログラム記憶領域３２Ａに記憶されているプログラムは、データ等を取得する。プログラムがデータ等を取得するとは、例えば、データが記憶された記憶領域からデータを読出す処理を指してもよい。プログラムがデータ等を取得するとは、例えば、外部装置から送信されたデータを受信する処理を指してもよい。プログラムがデータ等を取得するとは、例えば、外部装置にデータの返信を要求し、外部装置から返信されたデータを受信する処理を指してもよい。プログラムがデータ等を取得するとは、例えば、ＯＳなどの他のプログラムが出力したデータを受信する処理を指してもよい。プログラムがデータ等を取得するとは、例えば、他のプログラムにデータの出力を要求し、他のプログラムから出力されたデータを受信する処理を指してもよい。
【００６４】
ＯＳ３４は、複合機１０を構成するハードウェアであるプリンタ部１１、スキャナ部１２、ＦＡＸ部１３、表示部２３、操作部２４、及び通信部２５等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３４が提供するＡＰＩを呼び出すことによって、各ハードウェアを制御する。しかしながら、本明細書では、ＯＳ３４を省略して各プログラムの動作を説明することがある。すなわち、以下の説明において、「プログラムＢがハードウェアＣを制御する」という趣旨の記述は、「プログラムＢがＯＳ３４のＡＰＩを通じてハードウェアＣを制御する」ことを指してもよい。後述する携帯端末５０についても同様である。
【００６５】
なお、複合機１０Ａの構成は、上述した複合機１０の構成と同様であるため、ここでは説明を省略する。
【００６６】
［携帯端末５０］
携帯端末５０は、図１に示されるように、表示部５３と、操作部５４と、通信部５５と、電話部５６と、ＣＰＵ６１と、記憶部６２と、通信バス６３とを主に備える。携帯端末５０に含まれる表示部５３、操作部５４、通信部５５、ＣＰＵ６１、記憶部６２、及び通信バス６３は、複合機１０に含まれる表示部２３、操作部２４、通信部２５、ＣＰＵ３１、記憶部３２、及び通信バス３３と基本的に同様の構成であるので、説明は省略する。携帯端末５０は、例えば、スマートフォン、携帯電話、或いはタブレット端末等である。
【００６７】
電話部５６は、移動体通信回線によって接続された基地局Ｂを通じて外部装置と音声データを送受信する通話機能を実現する。
【００６８】
記憶部６２のプログラム記憶領域６２Ａには、ＯＳ６４と、複合機制御プログラム６５と、電話プログラム６６と、が格納されている。
【００６９】
ＯＳ６４は、例えば、Ａｎｄｒｏｉｄ（Ｇｏｏｇｌｅ  ｉｎｃ．の登録商標）  ＯＳ、ｉＯＳ（Ｃｉｓｃｏ  Ｓｙｓｔｅｍｓ，Ｉｎｃ．の登録商標）、Ｗｉｎｄｏｗｓ  Ｐｈｏｎｅ（ＭｉｃｒｏＳｏｆｔ  Ｃｏｒｐｏｒａｔｉｏｎの登録商標）  Ｏｐｅｒａｔｉｎｇ  Ｓｙｓｔｅｍ等であってもよい。
【００７０】
複合機制御プログラム６５は、実行されたことに応じて、ＦＡＸ送信すべきデータ（以下、「ＦＡＸ画像データ」と表記する。）、及びＦＡＸ送信先の外部装置を特定する電話番号の指定を受け付け、ＦＡＸ送信動作を選択デバイスに実行させるプログラムである。ＦＡＸ送信動作は、ＦＡＸ送信先の外部装置にＦＡＸ画像データをＦＡＸ送信する動作である。複合機制御プログラム６５によって実行される処理の詳細は、後述する。
【００７１】
電話プログラム６６は、電話番号を指定するユーザ操作を操作部５４を通じて受け付け、当該電話番号で特定される外部装置に接続を要求する。そして、電話プログラム６６は、外部装置によって接続が許可されたことに応じて、当該外部装置との間で電話部５６を通じて音声データを送受信する。
【００７２】
さらに、記憶部６２には、各種のコンテンツデータが記憶されていてもよい。コンテンツデータは、例えば、画像データ、写真データ、ドキュメントデータ、表計算データ、或いはプレゼンテーションデータ等であってもよい。なお、複合機制御プログラム６５は、コンテンツデータを、選択デバイスがＦＡＸ送信することが可能なデータ形式の画像データに変換することが可能である。
【００７３】
また記憶部６２は、選択デバイス記憶テーブルＴＢ１、設定情報記憶テーブルＴＢ２を記憶している。図１５に、選択デバイス記憶テーブルＴＢ１の一例を示す。選択デバイス記憶テーブルＴＢ１は、選択デバイス情報２０１を記憶している。選択デバイス情報２０１は、複数のデバイスのうちからユーザに選択されたデバイスである、選択デバイスを示す情報である。選択デバイスは、スキャン処理およびＦＡＸ送信処理を実行させるために、複合機制御プログラム６５のユーザによって選択されたデバイスである。選択デバイス情報２０１は、ＩＰアドレス２０２、モデル名２０３、ＦＡＸ可能サイズ２０４、を含んでいる。ＩＰアドレス２０２は、選択デバイスのＩＰアドレスである。モデル名２０３は、選択デバイスの機種を示す識別情報である。モデル名２０３の一例としては、型番が挙げられる。ＦＡＸ可能サイズ２０４は、選択デバイスがＦＡＸの送受信をすることが可能な原稿サイズを示す情報である。例えば、選択デバイスのスキャナ部が、Ａ４の原稿サイズまでしか対応していない小型スキャナである場合には、ＦＡＸ可能サイズ２０４は、「はがき、レター、Ｂ５、Ａ４」となる。この場合、ＦＡＸ可能サイズ２０４には、「Ｂ４、Ａ３」の原稿サイズは含まれない。本実施形態の説明例では、複合機１０が選択デバイスとして選択されている場合について、以下に説明する。
【００７４】
図１６に、設定情報記憶テーブルＴＢ２の一例を示す。設定情報記憶テーブルＴＢ２は、デフォルトＦＡＸ画像設定領域Ｒ０、第１デフォルトスキャン画像設定領域Ｒ１、第２デフォルトスキャン画像設定領域Ｒ２、を備えている。デフォルトＦＡＸ画像設定領域Ｒ０には、デフォルトＦＡＸ画像設定情報２１０が記憶されている。第１デフォルトスキャン画像設定領域Ｒ１には、第１デフォルトスキャン画像設定情報２１１が記憶されている。第２デフォルトスキャン画像設定領域Ｒ２には、第２デフォルトスキャン画像設定情報２１２が記憶されている。デフォルトＦＡＸ画像設定情報２１０および第１デフォルトスキャン画像設定情報２１１は、「スキャンｔｏＦＡＸ処理」を実行する際に用いられる設定情報である。一方、第２デフォルトスキャン画像設定情報２１２は、「スキャン処理」を実行する際に用いられる設定情報である。
【００７５】
「スキャンｔｏＦＡＸ処理」は、選択デバイスでスキャン処理を実行して生成されたスキャン画像データを、選択デバイスでＦＡＸ送信する処理である。スキャンｔｏＦＡＸ処理は、後述するＳ１６５において、第１ＦＡＸ指示情報および第１ＦＡＸ画像データを選択デバイスへ送信することによって、選択デバイスで実行される。「スキャン処理」は、選択デバイスでスキャン処理を実行して生成されたスキャン画像データを、携帯端末５０の記憶部６２に記憶させる処理である。スキャン処理は、後述するＳ３４０において、第３スキャン指示情報を選択デバイスへ送信することによって、実行される。
【００７６】
デフォルトＦＡＸ画像設定情報２１０は、「スキャンｔｏＦＡＸ処理」および「記憶画像データＦＡＸ処理」に共通して用いられる、ＦＡＸ送信に関するデフォルトの設定値である。「記憶画像データＦＡＸ処理」は、携帯端末５０の記憶部６２に記憶されている記憶画像データに基づいて、選択デバイスがＦＡＸ画像データを生成し、当該ＦＡＸ画像データをＦＡＸ送信する処理である。記憶画像データは、前述したコンテンツデータである、または、コンテンツデータを変換することで生成された画像データである。
【００７７】
第１デフォルトスキャン画像設定情報２１１は、「スキャンｔｏＦＡＸ処理」で生成される第１スキャン画像データの各種設定値を示す情報である。第１スキャン画像データは、後述するＳ１４２で、選択デバイスから受信することができる。第２デフォルトスキャン画像設定情報２１２は、「スキャン処理」で生成される第２スキャン画像データの各種設定値を示す情報である。第２スキャン画像データは、後述するＳ３４５で、選択デバイスから受信することができる。
【００７８】
また、デフォルトＦＡＸ画像設定情報２１０、第１デフォルトスキャン画像設定情報２１１、第２デフォルトスキャン画像設定情報２１２は、原稿サイズ情報２２１およびカラー情報２２２を含んでいる。原稿サイズ情報２２１は、ＦＡＸ画像データ、第１スキャン画像データ、第２スキャン画像データを生成する際に読み込む原稿のサイズを規定する情報である。原稿サイズ情報２２１は、様々な値をとることができる。例えば、「レターサイズ」、「Ａ４サイズ」など、工業規格で定められた紙の寸法を示す値であってもよい。また例えば、画像の縦横のピクセル数や、縦横の長さを示す値であってもよい。カラー情報２２２は、ＦＡＸ画像データ、第１スキャン画像データ、第２スキャン画像データが、カラー画像またはモノクロ画像の何れのデータであるかを示す情報である。デフォルトＦＡＸ画像設定情報２１０は、原稿サイズ情報２２１およびカラー情報２２２の他に、ＦＡＸ送信処理によって送信される画像の特性を示す、不図示の設定情報を含んでいてもよい。第１デフォルトスキャン画像設定情報２１１、第２デフォルトスキャン画像設定情報２１２、は、原稿サイズ情報２２１およびカラー情報２２２の他に、スキャン処理によって生成される画像の特性を示す、不図示の設定情報を含んでいてもよい。
【００７９】
［ＦＡＸシステム１００の動作］
図２Ａ〜図６を参照して、本実施形態に係るＦＡＸシステム１００の動作を説明する。複合機制御プログラム６５が実行されると、図２Ａのフローが開始される。Ｓ８０において複合機制御プログラム６５は、選択デバイス記憶テーブルＴＢ１から選択デバイス情報２０１を読出す。
【００８０】
Ｓ９０において複合機制御プログラム６５は、メイン画面Ｇ１を表示部５３に表示させる。メイン画面Ｇ１は、装置選択操作、スキャン指示操作、ＦＡＸ指示操作、プリント指示操作、などを、タッチパネルを介して受け付け可能な画面である。装置選択操作は、スキャン処理およびＦＡＸ送信処理を実行させる選択デバイスを、複合機１０および１０Ａの中から選択する操作である。スキャン指示操作は、選択デバイスに対して、スキャン処理の実行を指示するための操作である。ＦＡＸ指示操作は、選択デバイスに対して、ＦＡＸ送信処理の実行を指示するための操作である。ＦＡＸ送信処理には、前述の「スキャンｔｏＦＡＸ処理」および「記憶画像データＦＡＸ処理」がある。プリント指示操作は、選択デバイスに対して、プリント処理の実行を指示するための操作である。
【００８１】
図７に、メイン画面Ｇ１の一例を示す。図７に示されるメイン画面Ｇ１は、複数のアイコン１１５〜１１７およびボタンＢ１１を含む。アイコン１１５〜１１７の各々は、上述したプリント指示操作、スキャン指示操作、ＦＡＸ指示操作、の各々を受け付けるための画像である。ボタンＢ１１は、選択デバイスの選択操作の入力を受け付けるための画像である。
【００８２】
ＯＳ６４は、アイコン１１５〜１１７の選択を操作部５４を通じて受け付ける。ＯＳ６４は、アイコン１１５〜１１７の１つの選択を操作部５４を通じて受け付けたことに応じて、当該アイコン１１５〜１１７に対応する処理をフォアグラウンドで実行する。
【００８３】
Ｓ９３において複合機制御プログラム６５は、選択デバイス情報を読出せたか否かを判断する。肯定判断される場合（Ｓ９３：ＹＥＳ）にはＳ１０５へ進み、否定判断される場合（Ｓ９３：ＮＯ）にはＳ９５へ進む。Ｓ９５において複合機制御プログラム６５は、装置選択操作の入力を受け付けたか否かを判断する。具体的には、ボタンＢ１１が選択されたか、および、複合機１０および１０Ａのうちから選択デバイスを選択する処理が入力されたか、を判断する。否定判断される場合（Ｓ９５：ＮＯ）にはＳ９５へ戻り、否定判断される場合（Ｓ９５：ＹＥＳ）にはＳ９７へ進む。
【００８４】
Ｓ９７において複合機制御プログラム６５は、能力情報の要求情報を、通信部５５を介して選択デバイスへ送信する。
【００８５】
Ｓ１００において複合機制御プログラム６５は、能力情報の要求情報を送信した選択デバイスから、スキャン能力情報、ＦＡＸ能力情報、ＦＡＸ可能サイズ情報を、通信部５５を介して受信する。スキャン能力情報は、スキャン画像データの各種設定項目に設定可能な値のうち、当該選択デバイスがサポートする値を示す情報である。ＦＡＸ能力情報は、ＦＡＸ画像データの各種設定項目に設定可能な値のうち、当該選択デバイスがサポートする値を示す情報である。ＦＡＸ可能サイズ情報は、選択デバイスが送信可能なＦＡＸ原稿のサイズを示す情報である。ＦＡＸ可能サイズ情報の内容は、前述した原稿サイズ情報２２１の内容と同様であるため、ここでは説明を省略する。スキャン能力情報、ＦＡＸ能力情報、ＦＡＸ可能サイズ情報は、後述するＳ１４６において、ユーザによって設定されている原稿サイズが、選択デバイスで実際にＦＡＸ送信可能な原稿サイズに含まれるか否かを判断するために用いられる情報である。
【００８６】
Ｓ１０１において複合機制御プログラム６５は、第１デフォルトスキャン画像設定情報２１１および前述した第２デフォルトスキャン画像設定情報２１２を生成する。第１デフォルトスキャン画像設定情報２１１は、Ｓ１００で受信したスキャン能力情報およびＦＡＸ能力情報を反映した情報である。第１デフォルトスキャン画像設定情報２１１は、選択デバイスで実行されるスキャン処理によって生成されるスキャン画像データの、各種設定情報である。第２デフォルトスキャン画像設定情報２１２は、受信したスキャン能力情報を反映した情報である。
【００８７】
Ｓ１０３において複合機制御プログラム６５は、生成した第１デフォルトスキャン画像設定情報２１１を、設定情報記憶テーブルＴＢ２の第１デフォルトスキャン画像設定領域Ｒ１に記憶させる。また、生成した第２デフォルトスキャン画像設定情報２１２を、第２デフォルトスキャン画像設定領域Ｒ２に記憶させる。
【００８８】
Ｓ１０５において複合機制御プログラム６５は、ユーザ操作の入力を受け付けるとともに、受け付けたユーザ操作の内容を判断する。プリント指示操作の入力が受け付けられた場合（Ｓ１０５：プリント指示）には、Ｓ１１０へ進む。Ｓ１１０において複合機制御プログラム６５は、選択デバイスに対して、プリント処理の実行指示するための情報、および、印刷画像データを送信する。そしてフローを終了する。
【００８９】
一方、Ｓ１０５において、ＦＡＸ指示操作の入力が受け付けられた場合（Ｓ１０５：ＦＡＸ指示）には、Ｓ１１５へ進む。Ｓ１１５において複合機制御プログラム６５は、ソース選択画面Ｇ２を表示部５３に表示させる。図８に、ソース選択画面Ｇ２の一例を示す。ソース選択画面Ｇ２は、ボタン画像Ｂ２１およびＢ２２、入力ボックス画像１２６を含んでいる。ボタン画像Ｂ２１は、スキャン画像送信操作の入力を受け付けるための画像である。スキャン画像送信操作は、選択デバイスでスキャン処理を実行して生成されたスキャン画像データをＦＡＸ送信することを、選択デバイスに指示するための操作である。ボタン画像Ｂ２２は、端末内画像送信操作の入力を受け付けるための画像である。端末内画像送信操作は、携帯端末５０の記憶部６２に記憶されている記憶画像データをＦＡＸ送信することを、選択デバイスに指示するための操作である。入力ボックス画像１２６は、宛先入力処理の実行指示の入力が受け付けるための画像である。宛先入力処理は、ＦＡＸ画像データの送信先を示す宛先情報を、ユーザに入力させる処理である。
【００９０】
Ｓ１２０において複合機制御プログラム６５は、ユーザ操作の入力を受け付けるとともに、受け付けたユーザ操作の内容を判断する。スキャン画像送信操作の入力が受け付けられた場合（Ｓ１２０：スキャン画像送信）には、Ｓ１２３へ進む。
【００９１】
Ｓ１２３において複合機制御プログラム６５は、設定情報記憶テーブルＴＢ２の第１デフォルトスキャン画像設定領域Ｒ１から、第１デフォルトスキャン画像設定情報２１１を読出す。
【００９２】
Ｓ１２５において複合機制御プログラム６５は、スキャン設定画面Ｇ３を表示部５３に表示させる。図９に、スキャン設定画面Ｇ３の一例を示す。スキャン設定画面Ｇ３は、ボタン画像Ｂ３１〜Ｂ３３、モデル名画像１２７を含んでいる。
【００９３】
ボタン画像Ｂ３１は、設定値画像Ｇ３１を含んでいる。設定値画像Ｇ３１は、第１デフォルトスキャン画像設定情報２１１に含まれている、原稿サイズ情報２２１の内容を示す画像である。ボタン画像Ｂ３１は、原稿サイズ情報２２１の値を選択するための、原稿サイズ選択操作の入力を受け付けることができる。すなわち、Ｓ１２３で第１デフォルトスキャン画像設定領域Ｒ１から読出された第１デフォルトスキャン画像設定情報２１１には、原稿サイズ情報２２１のデフォルト値が含まれている。この原稿サイズ情報２２１のデフォルト値を変更する操作を、ボタン画像Ｂ３１は受け付けることができる。
【００９４】
ボタン画像Ｂ３２は、設定値画像Ｇ３２を含んでいる。設定値画像Ｇ３２は、第１デフォルトスキャン画像設定情報２１１に含まれている、カラー情報２２２の内容を示す画像である。ボタン画像Ｂ３２は、カラー情報２２２の内容を選択するための、カラー／モノクロ選択操作の入力を受け付けることができる。すなわち、Ｓ１２３で第１デフォルトスキャン画像設定領域Ｒ１から読出された第１デフォルトスキャン画像設定情報２１１には、カラー情報２２２のデフォルト値が含まれている。このカラー情報２２２のデフォルト値を変更する操作を、ボタン画像Ｂ３２は受け付けることができる。
【００９５】
ボタン画像Ｂ３３は、スキャン開始操作の入力を受け付けるための画像である。スキャン開始操作は、選択デバイスにスキャン処理の開始を指示するための操作である。モデル名画像１２７は、選択デバイスのモデル名を示す画像である。
【００９６】
Ｓ１３０において複合機制御プログラム６５は、ユーザ操作の入力を受け付けるとともに、受け付けたユーザ操作の内容を判断する。原稿サイズ選択操作またはカラー／モノクロ選択操作の入力が受け付けられた場合（Ｓ１３０：原稿サイズ、カラー／モノクロ選択）には、Ｓ１３５へ進む。
【００９７】
Ｓ１３５において複合機制御プログラム６５は、第１デフォルトスキャン画像設定情報２１１を変更する。例えば、原稿サイズ選択操作が入力された場合には、Ｓ１２３で読出された第１デフォルトスキャン画像設定情報２１１に含まれている原稿サイズ情報２２１の値を、Ｓ１３０でユーザによって入力された値に変更する。そして、変更後の原稿サイズ情報２２１の値を、第１デフォルトスキャン画像設定領域Ｒ１に記憶させる。そしてＳ１３０へ戻る。
【００９８】
一方、Ｓ１３０においてスキャン開始操作の入力が受け付けられた場合（Ｓ１３０：スキャン開始）には、Ｓ１４０へ進む。Ｓ１４０において複合機制御プログラム６５は、第１スキャン指示情報または第２スキャン指示情報を、通信部５５を介して選択デバイスへ送信する。第１スキャン指示情報は、原稿サイズ選択操作やカラー／モノクロ選択操作が受け付けられてから、スキャン開始操作が受け付けられた場合に送信される情報である。すなわち、Ｓ１２３において第１デフォルトスキャン画像設定領域Ｒ１から読出された第１デフォルトスキャン画像設定情報２１１の内容を変更した上で、変更後のスキャン画像設定情報を用いたスキャン処理によって第１スキャン画像データを生成することを、選択デバイスに指示するための情報である。一方、第２スキャン指示情報は、原稿サイズ選択操作やカラー／モノクロ選択操作が受け付けられることなく、スキャン開始操作が受け付けられた場合に送信される情報である。すなわち第２スキャン指示情報は、Ｓ１２３において第１デフォルトスキャン画像設定領域Ｒ１から読出された第１デフォルトスキャン画像設定情報２１１をそのまま用いたスキャン処理によって第１スキャン画像データを生成することを、選択デバイスに指示するための情報である。
【００９９】
Ｓ１４２において複合機制御プログラム６５は、選択デバイスで生成された第１スキャン画像データを、通信部５５を介して選択デバイスから受信したか否かを判断する。否定判断される場合（Ｓ１４２：ＮＯ）にはＳ１４２へ戻り、肯定判断される場合（Ｓ１４２：ＹＥＳ）にはＳ１４４へ進む。
【０１００】
Ｓ１４４において複合機制御プログラム６５は、設定情報記憶テーブルＴＢ２のデフォルトＦＡＸ画像設定領域Ｒ０に記憶されている、デフォルトＦＡＸ画像設定情報２１０を読出す。また、選択デバイス記憶テーブルＴＢ１から、選択デバイス情報２０１を読出す。
【０１０１】
Ｓ１４６において複合機制御プログラム６５は、設定されている原稿サイズが、選択デバイスで実際にＦＡＸ送信可能な原稿サイズの範囲内であるか否かを判断する。具体的には、設定情報記憶テーブルＴＢ２の第１デフォルトスキャン画像設定領域Ｒ１に記憶されている原稿サイズ情報２２１を読出す。そして、読出した原稿サイズ情報２２１が示す原稿サイズが、Ｓ１４４で読出された選択デバイス情報２０１に含まれているＦＡＸ可能サイズ２０４が示す原稿サイズの範囲に含まれるか否かを判断する。肯定判断される場合（Ｓ１４６：ＹＥＳ）には、Ｓ１４８へ進む。具体的に、ＦＡＸ可能サイズ２０４が「Ａ４」と「Ｌｅｔｔｅｒ」を示している場合を想定する。原稿サイズ情報が「Ａ４」を示している場合に、Ｓ１４６は肯定判断され、原稿サイズ情報が「Ａ３」を示している場合に、Ｓ１４６は否定判断される。
【０１０２】
Ｓ１４８において複合機制御プログラム６５は、第１デフォルトスキャン画像設定情報２１１を反映した第１ＦＡＸ画像設定情報２３１を生成する。第１ＦＡＸ画像設定情報２３１は、選択デバイスで実行されるＦＡＸ送信処理で送信されるＦＡＸ画像データの、各種の設定内容を示す情報である。図１７に、第１ＦＡＸ画像設定情報２３１の設定内容の一例を示す。第１ＦＡＸ画像設定情報２３１は、原稿サイズ情報３２１およびカラー情報３２２を備えている。原稿サイズ情報３２１およびカラー情報３２２の内容は、前述した原稿サイズ情報２２１およびカラー情報２２２の内容と同様であるため、ここでは説明を省略する。すなわち、第１ＦＡＸ画像設定情報２３１と、第１デフォルトスキャン画像設定情報２１１とは、共通する設定項目として、原稿サイズ情報およびカラー情報を備えていることになる。
【０１０３】
複合機制御プログラム６５は、第１デフォルトスキャン画像設定情報２１１の原稿サイズ情報２２１およびカラー情報２２２の値を、第１ＦＡＸ画像設定情報２３１の原稿サイズ情報３２１およびカラー情報３２２にコピーする。これにより、第１デフォルトスキャン画像設定情報２１１を、第１ＦＡＸ画像設定情報２３１に反映させることができる。
【０１０４】
具体例を説明する。Ｓ１３０において、原稿サイズ選択操作やカラー／モノクロ選択操作が受け付けられてから、スキャン開始操作が受け付けられた場合を考える。この場合、設定情報記憶テーブルＴＢ２の第１デフォルトスキャン画像設定領域Ｒ１から読出された第１デフォルトスキャン画像設定情報２１１の内容が変更されている。すると、変更後の第１デフォルトスキャン画像設定情報２１１の原稿サイズ情報２２１およびカラー情報２２２の値が、第１ＦＡＸ画像設定情報２３１の原稿サイズ情報３２１およびカラー情報３２２にコピーされる。
【０１０５】
また、Ｓ１３０において、原稿サイズ選択操作やカラー／モノクロ選択操作が受け付けられることなく、スキャン開始操作が受け付けられた場合を考える。この場合は、設定情報記憶テーブルＴＢ２の第１デフォルトスキャン画像設定領域Ｒ１から読出された第１デフォルトスキャン画像設定情報２１１の内容が変更されない。よって、未変更の第１デフォルトスキャン画像設定情報２１１の原稿サイズ情報２２１およびカラー情報２２２の値が、第１ＦＡＸ画像設定情報２３１の原稿サイズ情報３２１およびカラー情報３２２にコピーされる。
【０１０６】
Ｓ１５０において複合機制御プログラム６５は、ＦＡＸ送信画面Ｇ４を表示部５３に表示させる。図１０に、ＦＡＸ送信画面Ｇ４の一例を示す。ＦＡＸ送信画面Ｇ４は、プレビュー画像Ｐ１１、ボタン画像Ｂ４１およびＢ４２、入力ボックス画像１２９を含んでいる。プレビュー画像Ｐ１１は、Ｓ１４２で受信した第１スキャン画像データが示す画像である。またプレビュー画像Ｐ１１は、Ｓ１４８で生成された第１ＦＡＸ画像設定情報２３１が反映された画像である。例えば、カラー情報３２２が「モノクロ」である場合には、プレビュー画像Ｐ１１はモノクロで表示される。ボタン画像Ｂ４２は、Ｓ１４８で生成された第１ＦＡＸ画像設定情報２３１の内容を表示するとともに、第１ＦＡＸ画像設定情報２３１の内容を変更する操作を受け付けるための画像である。図１０の例では、原稿サイズ情報３２１およびカラー情報３２２の内容が、Ｂ４２内に表示されている。ボタン画像Ｂ４１は、ＦＡＸ開始操作の入力を受け付けるための画像である。ＦＡＸ開始操作は、選択デバイスにＦＡＸ送信処理の開始を指示するための操作である。入力ボックス画像１２９の内容は、図８で前述した入力ボックス画像１２６の内容と同様であるため、ここでは説明を省略する。
【０１０７】
一方、Ｓ１４６において否定判断される場合（Ｓ１４６：ＮＯ）には、Ｓ１５２へ進む。Ｓ１５２において複合機制御プログラム６５は、Ｓ１４４で読出したデフォルトＦＡＸ画像設定情報２１０を反映した第２ＦＡＸ画像設定情報２３２を生成する。第２ＦＡＸ画像設定情報２３２は、選択デバイスで実行されるＦＡＸ送信処理で送信されるＦＡＸ画像データの、各種の設定内容を示す情報である。第２ＦＡＸ画像設定情報２３２は、スキャン画像データの画像サイズをＦＡＸ送信処理で送信可能なサイズに変更する処理を、後述するＳ１６３で実行するために用いられる情報である。
【０１０８】
図１７に、第２ＦＡＸ画像設定情報２３２の設定内容の一例を示す。第２ＦＡＸ画像設定情報２３２の内容は、前述した第１ＦＡＸ画像設定情報２３１の内容と同様であるため、ここでは説明を省略する。
【０１０９】
複合機制御プログラム６５は、デフォルトＦＡＸ画像設定情報２１０の原稿サイズ情報２２１およびカラー情報２２２の値を、第２ＦＡＸ画像設定情報２３２の原稿サイズ情報３２１およびカラー情報３２２にコピーする。これにより、デフォルトＦＡＸ画像設定情報２１０を、第２ＦＡＸ画像設定情報２３２に反映させることができる。
【０１１０】
Ｓ１５４において複合機制御プログラム６５は、ＦＡＸ送信画面Ｇ５を表示部５３に表示させる。図１１に、ＦＡＸ送信画面Ｇ５の一例を示す。ＦＡＸ送信画面Ｇ５は、プレビュー画像Ｐ１１、ボタン画像Ｂ４１およびＢ４３、入力ボックス画像１２９、ポップアップ画像Ｗ１１を含んでいる。ポップアップ画像Ｗ１１は、スキャン画像データを縮小する処理を実行することを示す画像である。ボタン画像Ｂ４３は、Ｓ１５２で生成された第２ＦＡＸ画像設定情報２３２の内容を表示するとともに、第２ＦＡＸ画像設定情報２３２の内容を変更する操作を受け付けるための画像である。プレビュー画像Ｐ１１は、Ｓ１５２で生成された第２ＦＡＸ画像設定情報２３２が反映された画像である。なお、ボタン画像Ｂ４１、入力ボックス画像１２９の内容については、図１０を用いて説明済みであるため、ここでは説明を省略する。
【０１１１】
図１１のＦＡＸ送信画面Ｇ５は、ポップアップ画像Ｗ１１を含んでいる。一方、図１０のＦＡＸ送信画面Ｇ４は、ポップアップ画像を含まない。この点で、ＦＡＸ送信画面Ｇ５は、ＦＡＸ送信画面Ｇ４と異なる態様で表示されていると言える。
【０１１２】
Ｓ１５５において複合機制御プログラム６５は、ユーザ操作の入力を受け付けるとともに、受け付けたユーザ操作の内容を判断する。図１０のＦＡＸ送信画面Ｇ４または図１１のＦＡＸ送信画面Ｇ５が表示されている状態で、入力ボックス画像１２９へのタップ入力が検出された場合には、宛先入力操作の入力が受け付けられた場合（Ｓ１５５：宛先入力）と判断される。そしてＳ１６０へ進む。Ｓ１６０において複合機制御プログラム６５は、宛先入力処理を実行する。そしてＳ１５５へ戻る。
【０１１３】
また、図１０のボタン画像Ｂ４２または図１１のボタン画像Ｂ４３へのタップ入力が検出された場合には、ＦＡＸ設定処理の実行指示の入力が受け付けられた場合（Ｓ１５５：ＦＡＸ設定）と判断し、Ｓ１５７へ進む。Ｓ１５７において複合機制御プログラム６５は、ボタン画像Ｂ４２へのタップ入力が検出された場合には、Ｓ１４８で生成された第１ＦＡＸ画像設定情報２３１の内容の変更を受け付ける。また、ボタン画像Ｂ４３へのタップ入力が検出された場合には、Ｓ１５２で生成された第２ＦＡＸ画像設定情報２３２の内容の変更を受け付ける。なお、第１ＦＡＸ画像設定情報２３１および第２ＦＡＸ画像設定情報２３２の内容の変更を受け付け可能な設定値の範囲は、選択デバイス情報２０１に含まれているＦＡＸ可能サイズ２０４が示す設定値の範囲内である。すなわち、選択デバイスがＦＡＸ送信できないような設定値には、変更することができない。
【０１１４】
Ｓ１５９において複合機制御プログラム６５は、第１ＦＡＸ画像設定情報２３１の内容が変更された場合には、変更後の第１ＦＡＸ画像設定情報２３１の内容を表示するボタン画像Ｂ４２を、ＦＡＸ送信画面Ｇ４に表示する。また、第２ＦＡＸ画像設定情報２３２の内容が変更された場合には、変更後の第２ＦＡＸ画像設定情報２３２の内容を表示するボタン画像Ｂ４３、をＦＡＸ送信画面Ｇ５に表示する。そして、Ｓ１５５へ戻る。
【０１１５】
また、図１０のＦＡＸ送信画面Ｇ４または図１１のＦＡＸ送信画面Ｇ５が表示されている状態で、ボタン画像Ｂ４１へのタップ入力が検出された場合には、ＦＡＸ開始操作の入力が受け付けられた場合（Ｓ１５５：ＦＡＸ開始）と判断される。そしてＳ１６３へ進む。
【０１１６】
Ｓ１６３において複合機制御プログラム６５は、第１ＦＡＸ画像データを生成する。具体的には、Ｓ１４６で肯定判断された場合には、第１ＦＡＸ画像設定情報２３１に含まれる原稿サイズ情報２２１およびカラー情報２２２が示す特性を備えた第１ＦＡＸ画像データを、第１スキャン画像データを加工することで生成する。一方、Ｓ１４６で否定判断された場合には、第２ＦＡＸ画像設定情報２３２に含まれる原稿サイズ情報２２１およびカラー情報２２２が示す特性を備えた第１ＦＡＸ画像データを、第１スキャン画像データを加工することで生成する。第２ＦＡＸ画像設定情報２３２は、デフォルトＦＡＸ画像設定情報２１０を反映した情報である。従って、第１ＦＡＸ画像データが示す画像のサイズを、デフォルトＦＡＸ画像設定情報２１０が示す原稿サイズ情報２２１が示す画像のサイズに変更することが可能となる。
【０１１７】
Ｓ１６５において複合機制御プログラム６５は、第１ＦＡＸ指示情報と、第１ＦＡＸ画像データとを、通信部５５を介して選択デバイスへ送信する。第１ＦＡＸ指示情報は、第１ＦＡＸ画像データを、Ｓ１６０で入力された宛先情報が示す送信先へ送信することを、選択デバイスに指示するための情報である。
【０１１８】
Ｓ１６６において複合機制御プログラム６５は、Ｓ１４６において否定判断されたか否かを判断する。当該判断の実施例を説明する。Ｓ１４６において行われた判断結果を示すフラグ情報を、記憶部６２に記憶させる。Ｓ１６６において、フラグ情報を記憶部６２から読出して、Ｓ１４６の判断内容を判断する。Ｓ１４６において否定判断された場合（Ｓ１６６：ＹＥＳ）にはフローを終了し、Ｓ１４６において肯定判断された場合（Ｓ１６６：ＮＯ）にはＳ１６７へ進む。Ｓ１６７において複合機制御プログラム６５は、Ｓ１４８で生成された第１ＦＡＸ画像設定情報２３１の値と、Ｓ１４４でデフォルトＦＡＸ画像設定領域Ｒ０から読出されたデフォルトＦＡＸ画像設定情報２１０の値と、が一致するか否かを判断する。肯定判断される場合（Ｓ１６７：ＹＥＳ）にはフローを終了し、否定判断される場合（Ｓ１６７：ＮＯ）にはＳ１６９へ進む。
【０１１９】
Ｓ１６９において複合機制御プログラム６５は、Ｓ１６３で使用された第１ＦＡＸ画像設定情報２３１を、設定情報記憶テーブルＴＢ２のデフォルトＦＡＸ画像設定領域Ｒ０に上書き記憶する。すなわち、Ｓ１４８で生成された第１ＦＡＸ画像設定情報２３１を、新たなデフォルトＦＡＸ画像設定情報２１０として記憶させる。そしてフローを終了する。
【０１２０】
また、図２ＡのＳ１２０において、端末内画像送信操作の入力が受け付けられた場合（Ｓ１２０：端末内画像送信）には、Ｓ２００へ進む。Ｓ２００において、複合機制御プログラム６５は、データ選択画面Ｇ６を表示部５３に表示させる。データ選択画面Ｇ６は、複数のデータアイコン１２１、１２２、１２３を含んでいる。データアイコン１２１〜１２３は、ＦＡＸ送信の対象として指定可能なコンテンツデータに対応する画像である。
【０１２１】
Ｓ２０１において複合機制御プログラム６５は、データアイコン１２１〜１２３のうちの何れか１つの選択を、操作部５４を通じて受け付けたか否かを判断する。否定判断される場合（Ｓ２０１：ＮＯ）にはＳ２０１へ戻り、肯定判断される場合（Ｓ２０１：ＹＥＳ）にはＳ２０５へ進む。
【０１２２】
Ｓ２０５において複合機制御プログラム６５は、選択されたデータアイコンに対応するコンテンツデータを、記憶部６２に一時記憶させる。
【０１２３】
Ｓ２１１において、複合機制御プログラム６５は、選択デバイス記憶テーブルＴＢ１から選択デバイス情報２０１を読出す。また、設定情報記憶テーブルＴＢ２のデフォルトＦＡＸ画像設定領域Ｒ０から、デフォルトＦＡＸ画像設定情報２１０を読出す。
【０１２４】
Ｓ２１２において、複合機制御プログラム６５は、読出されたデフォルトＦＡＸ画像設定情報２１０を反映した第３ＦＡＸ画像設定情報２３３を生成する。第３ＦＡＸ画像設定情報２３３は、記憶部６２に記憶されている記憶画像データからＦＡＸ画像データを生成する際に用いられる、各種の設定内容を示す情報である。図１７に、第３ＦＡＸ画像設定情報２３３の設定内容の一例を示す。第３ＦＡＸ画像設定情報２３３は、原稿サイズ情報３２１およびカラー情報３２２を備えている。原稿サイズ情報３２１およびカラー情報３２２の内容は、説明済みであるため、ここでは説明を省略する。
【０１２５】
Ｓ２１３において、複合機制御プログラム６５は、プレビュー画面Ｇ７を表示部５３に表示させる。図１３に、プレビュー画面Ｇ７の一例を示す。プレビュー画面Ｇ７は、プレビュー画像Ｐ２１、ボタン画像Ｂ６１およびＢ６２、入力ボックス画像１３９を含んでいる。プレビュー画像Ｐ２１は、Ｓ２０５で記憶されたコンテンツデータが示す画像である。ボタン画像Ｂ６１およびＢ６２、入力ボックス画像１３９の内容は、前述したボタン画像Ｂ４１およびＢ４２、入力ボックス画像１２９の内容と同様であるため、ここでは説明を省略する。そしてＳ２１４へ進む。
【０１２６】
Ｓ２１４、Ｓ２１５、Ｓ２３０、Ｓ２３５の各ステップの内容は、図３を用いて前述したＳ１５５、Ｓ１６０、Ｓ１５７、Ｓ１５９の各ステップの内容と同様である。よってここでは説明を省略する。
【０１２７】
また、図１３のプレビュー画面Ｇ７が表示されている状態で、ボタン画像Ｂ６１へのタップ入力が検出された場合には、ＦＡＸ開始操作の入力が受け付けられた場合（Ｓ２１４：ＦＡＸ開始）と判断される。そしてＳ２１８へ進む。
【０１２８】
Ｓ２１８において、複合機制御プログラム６５は、第２ＦＡＸ画像データを生成する。具体的には、Ｓ２１２で生成した第３ＦＡＸ画像設定情報２３３に含まれる原稿サイズ情報２２１およびカラー情報２２２が示す特性を備えた第２ＦＡＸ画像データを、コンテンツデータを加工することで生成する。
【０１２９】
Ｓ２２１において、複合機制御プログラム６５は、第２ＦＡＸ指示情報と、第２ＦＡＸ画像データとを、通信部５５を介して選択デバイスへ送信する。第２ＦＡＸ指示情報は、第２ＦＡＸ画像データを、Ｓ２１５で入力された宛先情報が示す送信先へ送信することを、選択デバイスに指示するための情報である。そしてフローを終了する。
【０１３０】
また、図２ＡのＳ１０５において、スキャン指示操作の入力が受け付けられた場合（Ｓ１０５：スキャン指示）には、図５のＳ３２３へ進む。Ｓ３２３において複合機制御プログラム６５は、設定情報記憶テーブルＴＢ２の第２デフォルトスキャン画像設定領域Ｒ２から、第２デフォルトスキャン画像設定情報２１２を読出す。
【０１３１】
Ｓ３２５において複合機制御プログラム６５は、スキャン設定画面Ｇ８を表示部５３に表示させる。図１４に、スキャン設定画面Ｇ８の一例を示す。スキャン設定画面Ｇ８は、ボタン画像Ｂ３１ａ〜Ｂ３３ａ、モデル名画像１２７ａを含んでいる。ボタン画像Ｂ３１ａは、設定値画像Ｇ３１ａを含んでいる。設定値画像Ｇ３１ａは、第２デフォルトスキャン画像設定情報２１２に含まれている、原稿サイズ情報２２１の内容を示す画像である。ボタン画像Ｂ３１ａは、第２デフォルトスキャン画像設定情報２１２に含まれている原稿サイズ情報２２１の値を変更するための、原稿サイズ選択操作の入力を受け付けることができる。ボタン画像Ｂ３２ａは、設定値画像Ｇ３２ａを含んでいる。設定値画像Ｇ３２ａは、第２デフォルトスキャン画像設定情報２１２に含まれている、カラー情報２２２の内容を示す画像である。ボタン画像Ｂ３２ａは、第２デフォルトスキャン画像設定情報２１２に含まれているカラー情報２２２の内容を変更するための、カラー／モノクロ選択操作の入力を受け付けることができる。なお、ボタン画像Ｂ３３ａおよびモデル名画像１２７ａの内容は、図９で前述したボタン画像Ｂ３３およびモデル名画像１２７の内容と同様であるため、ここでは説明を省略する。
【０１３２】
Ｓ３３０において複合機制御プログラム６５は、ユーザ操作の入力を受け付けるとともに、受け付けたユーザ操作の内容を判断する。原稿サイズ選択操作またはカラー／モノクロ選択操作の入力が受け付けられた場合（Ｓ３３０：原稿サイズ、カラー／モノクロ選択）には、Ｓ３３５へ進む。Ｓ３３５において複合機制御プログラム６５は、ユーザ操作に従い、第２デフォルトスキャン画像設定情報２１２の内容を変更する。そしてＳ３３０へ戻る。
【０１３３】
一方、Ｓ３３０においてスキャン開始操作の入力が受け付けられた場合（Ｓ１３０：スキャン開始）には、Ｓ３４０へ進む。Ｓ３４０において複合機制御プログラム６５は、第３スキャン指示情報を、通信部５５を介して選択デバイスへ送信する。第３スキャン指示情報は、第２デフォルトスキャン画像設定領域Ｒ２から読出された第２デフォルトスキャン画像設定情報２１２を用いたスキャン処理によって第２スキャン画像データを生成することを、選択デバイスに指示するための情報である。
【０１３４】
Ｓ３４５において複合機制御プログラム６５は、選択デバイスで生成された第２スキャン画像データを、通信部５５を介して選択デバイスから受信したか否かを判断する。否定判断される場合（Ｓ３４５：ＮＯ）にはＳ３４５へ戻り、肯定判断される場合（Ｓ３４５：ＹＥＳ）にはＳ３５０へ進む。
【０１３５】
Ｓ３５０において複合機制御プログラム６５は、受信した第２スキャン画像データを、記憶部６２に記憶させる。そしてフローを終了する。
【０１３６】
［複合機１０の動作］
選択デバイスである複合機１０の動作を、図６のフローを用いて説明する。Ｓ４１０において複合機１０の制御プログラム３５は、能力情報の要求情報を外部装置から受信したか否かを判断する。否定判断される場合（Ｓ４１０：ＮＯ）にはＳ４２０へ進み、肯定判断される場合（Ｓ４１０：ＹＥＳ）にはＳ４１５へ進む。
【０１３７】
Ｓ４１５において制御プログラム３５は、スキャン能力情報、ＦＡＸ能力情報、ＦＡＸ可能サイズ情報を、能力情報の要求情報を送信してきた外部装置へ送信する。これらの情報の内容は、Ｓ１００で説明済みであるため、ここでは説明を省略する。
【０１３８】
Ｓ４２０において制御プログラム３５は、第１〜第３スキャン指示情報の何れかを、外部装置から受信したか否かを判断する。否定判断される場合（Ｓ４２０：ＮＯ）にはＳ４３０へ進み、肯定判断される場合（Ｓ４２０：ＹＥＳ）にはＳ４２３へ進む。
【０１３９】
Ｓ４２３において制御プログラム３５は、第１または第２スキャン指示情報を受信した場合には、受信した第１または第２スキャン指示情報に含まれている第１デフォルトスキャン画像設定情報２１１に基づいて、スキャナ部１２にスキャン処理を実行させる。そして、第１スキャン画像データを生成する。また制御プログラム３５は、第３スキャン指示情報を受信した場合には、受信した第３スキャン指示情報に含まれている第２デフォルトスキャン画像設定情報２１２に基づいて、スキャナ部１２にスキャン処理を実行させる。そして、第２スキャン画像データを生成する。
【０１４０】
Ｓ４２５において制御プログラム３５は、第１スキャン画像データを生成した場合には、生成した第１スキャン画像データを、第１または第２スキャン指示情報を送信してきた外部装置へ送信する。また制御プログラム３５は、第２スキャン画像データを生成した場合には、生成した第２スキャン画像データを、第３スキャン指示情報を送信してきた外部装置へ送信する。
【０１４１】
Ｓ４３０において制御プログラム３５は、第１ＦＡＸ指示情報および第１ＦＡＸ画像データ、または、第２ＦＡＸ指示情報および第２ＦＡＸ画像データを、外部装置から受信したか否かを判断する。否定判断される場合（Ｓ４３０：ＮＯ）にはＳ４４０へ進み、肯定判断される場合（Ｓ４３０：ＹＥＳ）にはＳ４３５へ進む。
【０１４２】
Ｓ４３５において制御プログラム３５は、第１ＦＡＸ指示情報および第１ＦＡＸ画像データを受信した場合には、第１ＦＡＸ画像データを第１ＦＡＸ指示情報が示す送信先へ送信する処理を、ＦＡＸ部１３に実行させる。また制御プログラム３５は、第２ＦＡＸ指示情報および第２ＦＡＸ画像データを受信した場合には、第２ＦＡＸ画像データを第２ＦＡＸ指示情報が示す送信先へ送信する処理を、ＦＡＸ部１３に実行させる。
【０１４３】
Ｓ４４０おいて制御プログラム３５は、プリント処理の実行指示情報および印刷画像データを、外部装置から受信したか否かを判断する。否定判断される場合（Ｓ４４０：ＮＯ）にはＳ４１０へ戻り、肯定判断される場合（Ｓ４４０：ＹＥＳ）にはＳ４４５へ進む。Ｓ４４５において制御プログラム３５は、受信した印刷画像データを用いたプリント処理を、プリンタ部１１に実行させる。そしてＳ４１０へ戻る。
【０１４４】
［本実施形態の作用効果］
上記の実施形態によれば、「スキャンｔｏＦＡＸ処理」を行う場合に、まず、第１デフォルトスキャン画像設定情報２１１の内容を決定することができる（Ｓ１３０、Ｓ１３５）。第１デフォルトスキャン画像設定情報２１１は、スキャン処理で生成される第１スキャン画像データの各種設定の内容を示す情報である。次に、決定した第１デフォルトスキャン画像設定情報２１１の内容を、第１ＦＡＸ画像設定情報２３１の内容に反映させることができる（Ｓ１４８）。第１ＦＡＸ画像設定情報２３１は、選択デバイスで実行されるＦＡＸ送信処理で送信されるＦＡＸ画像データの、各種の設定内容を示す情報である。具体的には、第１デフォルトスキャン画像設定情報２１１の原稿サイズ情報２２１およびカラー情報２２２の値を、第１ＦＡＸ画像設定情報２３１の原稿サイズ情報３２１およびカラー情報３２２の値にコピーすることができる。これにより、「スキャンｔｏＦＡＸ処理」を行う場合において、スキャン処理で設定した原稿サイズ情報およびカラー情報の内容を、その後に実行するＦＡＸ処理に引き継ぐことが可能となる。すなわち、スキャン処理で原稿サイズ情報およびカラー情報の設定を行うとともに、ＦＡＸ処理においても原稿サイズ情報およびカラー情報の設定を行うという、重複した設定操作を行う必要がない。ユーザの手間を低減することが可能となる。
【０１４５】
上記の実施形態によれば、Ｓ１３０において原稿サイズ選択操作やカラー／モノクロ選択操作を入力せずに、スキャン開始操作を入力した場合には、第２スキャン指示情報を生成することができる。第２スキャン指示情報は、原稿サイズ情報２２１やカラー情報２２２のデフォルト値を用いて、ＦＡＸ送信用の第１スキャン画像データを生成することを指示する情報である。これによりユーザは、デフォルト値を用いて「スキャンｔｏＦＡＸ処理」を実行することが可能となる。原稿サイズ情報やカラー情報を入力する手間を省くことが可能となる。
【０１４６】
上記の実施形態によれば、Ｓ１３０において原稿サイズ選択操作やカラー／モノクロ選択操作を入力してから、スキャン開始操作を入力した場合には、第１スキャン指示情報を生成することができる。第１スキャン指示情報は、デフォルト値から変更された原稿サイズ情報２２１やカラー情報２２２を用いて、ＦＡＸ送信用の第１スキャン画像データを生成することを指示する情報である。これにより、ユーザが所望する原稿サイズやカラー情報を用いて、「スキャンｔｏＦＡＸ処理」を実行することが可能となる。
【０１４７】
上記の実施形態によれば、Ｓ１４８で第１ＦＡＸ画像設定情報２３１が生成された場合には、Ｓ１５０において表示されるＦＡＸ送信画面Ｇ４のプレビュー画像Ｐ１１を、第１ＦＡＸ画像設定情報２３１が反映された画像とすることができる。また、Ｓ１５２で第２ＦＡＸ画像設定情報２３２が生成された場合には、Ｓ１５４において表示されるＦＡＸ送信画面Ｇ５のプレビュー画像Ｐ１１を、第２ＦＡＸ画像設定情報２３２が反映された画像とすることができる。これにより、原稿サイズ情報２２１やカラー情報２２２のデフォルト値をそのまま用いた場合、および、デフォルト値を変更して用いた場合の何れにおいても、ユーザは、ＦＡＸされる画像の内容をプレビュー画像で確認することが可能となる。
【０１４８】
上記の実施形態によれば、第１デフォルトスキャン画像設定情報２１１で設定されている原稿サイズが、選択デバイスで実際にＦＡＸ送信可能な原稿サイズの範囲外である場合（Ｓ１４６：ＮＯ）には、Ｓ１５２へ進み、第２ＦＡＸ画像設定情報２３２を生成することができる。第２ＦＡＸ画像設定情報２３２は、デフォルトＦＡＸ画像設定情報２１０を反映した情報である。デフォルトＦＡＸ画像設定情報２１０は、ＦＡＸ送信に関するデフォルトの設定値であるため、デフォルトＦＡＸ画像設定情報２１０に含まれている原稿サイズ情報２２１は、ＦＡＸ送信処理で送信可能な値とされている。以上より、「スキャンｔｏＦＡＸ処理」で送信するＦＡＸ画像データのサイズが、選択デバイスで送信可能なＦＡＸ画像データのサイズよりも大きくなる事態が発生した場合に、ＦＡＸ画像データの画像サイズを、予め定められたデフォルト値に縮小することが可能となる。よって、「スキャンｔｏＦＡＸ処理」を確実に実行することが可能となる。
【０１４９】
上記の実施形態によれば、Ｓ１４８で生成された第１ＦＡＸ画像設定情報２３１を、新たなデフォルトＦＡＸ画像設定情報２１０として記憶（Ｓ１６９）させることができる。これにより、デフォルトＦＡＸ画像設定情報２１０の内容を、ユーザが設定した第１ＦＡＸ画像設定情報２３１の内容に、常に更新することができる。
【０１５０】
上記の実施形態によれば、デフォルトＦＡＸ画像設定情報２１０の内容が、ユーザが設定した第１ＦＡＸ画像設定情報２３１の内容に常に更新される場合において、更新されたデフォルトＦＡＸ画像設定情報２１０を反映した第３ＦＡＸ画像設定情報２３３を生成することができる（Ｓ２１２）。第３ＦＡＸ画像設定情報２３３は、「記憶画像データＦＡＸ処理」で送信されるＦＡＸ画像データの、各種の設定内容を示す情報である。これにより、「スキャンｔｏＦＡＸ処理」および「記憶画像データＦＡＸ処理」を行う何れの場合においても、同一のデフォルトＦＡＸ画像設定情報２１０に基づいてＦＡＸ送信を実行することができる。「スキャンｔｏＦＡＸ処理」および「記憶画像データＦＡＸ処理」を行う場合で、原稿サイズやカラー情報が異なってしまうことが防止できる。ユーザを困惑させることがない。
【０１５１】
上記の実施形態によれば、「スキャン処理」を実行する場合（Ｓ１０５：スキャン指示）に、スキャン設定画面Ｇ８を表示部５３に表示（Ｓ３２５）させることができる。スキャン設定画面Ｇ８には、「スキャン処理」で使用される原稿サイズ情報２２１やカラー情報２２２の内容を含んだ、設定値画像Ｇ３１ａおよびＧ３２ａを表示させることができる。これにより、「スキャンｔｏＦＡＸ処理」を実行する場合、および、「スキャン処理」を実行する場合の各々において、原稿サイズやカラー情報の設定値をユーザに確認させることができる。よってユーザは、「スキャンｔｏＦＡＸ処理」の各種設定値と、「スキャン処理」の各種設定値のそれぞれを、別個に確認した上で、選択デバイスに処理を実行させることが可能となる。
【０１５２】
上記の実施形態によれば、Ｓ１００で受信したスキャン能力情報およびＦＡＸ能力情報の２つの情報を反映させることで、第１デフォルトスキャン画像設定情報２１１を生成することができる（Ｓ１０１）。これにより、「スキャンｔｏＦＡＸ処理」に適した第１デフォルトスキャン画像設定情報２１１を生成することができる。また、Ｓ１００で受信したスキャン能力情報の１つの情報を反映させることで、第２デフォルトスキャン画像設定情報２１２を生成することができる（Ｓ１０１）。これにより、「スキャン処理」に適した第２デフォルトスキャン画像設定情報２１２を生成することができる。以上より、選択デバイスのスキャン能力およびＦＡＸ能力に基づいて、「スキャンｔｏＦＡＸ処理」や「スキャン処理」を適切に実行することが可能となる。
【０１５３】
上記の実施形態によれば、Ｓ１０５においてＦＡＸ指示操作の入力が受け付けられた場合には、デフォルトＦＡＸ画像設定情報２１０または第１デフォルトスキャン画像設定情報２１１に基づいて、「スキャンｔｏＦＡＸ処理」または「記憶画像データＦＡＸ処理」が実行される。一方、Ｓ１０５において、スキャン指示操作の入力が受け付けられた場合には、第２デフォルトスキャン画像設定情報２１２に基づいて、「スキャン処理」が実行される。これにより、「スキャンｔｏＦＡＸ処理」および「記憶画像データＦＡＸ処理」と、「スキャン処理」とを、互いに独立した設定情報に基づいて実行することができる。これにより、「スキャンｔｏＦＡＸ処理」および「記憶画像データＦＡＸ処理」と、「スキャン処理」と、が互いに影響してしまうことが防止できる。その結果、ユーザの予期しない不具合が発生してしまうという事態の発生を防止することが可能となる。
【０１５４】
上記の実施形態によれば、「スキャンｔｏＦＡＸ処理」で送信するＦＡＸ画像データのサイズが、選択デバイスで送信可能なＦＡＸ画像データのサイズよりも大きくなる事態が発生した場合（Ｓ１４６：ＮＯ）には、スキャン画像データを縮小する処理を実行することを示すポップアップ画像Ｗ１１を、ＦＡＸ送信画面Ｇ５に表示させることができる（Ｓ１５４）。これにより、スキャン画像データを縮小することを、ユーザに適切に報知することが可能となる。
【０１５５】
［変形例］
Ｓ１４６で否定判断される場合に、ＦＡＸ送信画面Ｇ５に表示されるポップアップ画像Ｗ１１は、各種の情報を含んでいてもよい。例えばポップアップ画像Ｗ１１は、第１デフォルトスキャン画像設定情報２１１で設定されている原稿サイズが、選択デバイスで実際にＦＡＸ送信可能な原稿サイズを超過していることを示す情報を含んでいてもよい。これにより、ユーザに注意を促すことが可能となる。
【０１５６】
デフォルトＦＡＸ画像設定情報２１０、第１デフォルトスキャン画像設定情報２１１および第２デフォルトスキャン画像設定情報２１２は、原稿サイズ情報２２１やカラー情報２２２以外の各種の情報をさらに含んでいてもよい。例えば、ＦＡＸ画像データやスキャン画像データの解像度（例：３００ｄｐｉ）を示す情報を含んでいてもよい。
【０１５７】
複数の入力操作を受け付けることが可能な画面とは、１つの画面に限られない。複数の画面の組み合わせであってもよい。例えば図９のスキャン設定画面Ｇ３において、ボタン画像Ｂ３３が表示されないとしてもよい。そして、ボタン画像Ｂ３１またはＢ３２をタップすることによって、原稿サイズ選択操作またはカラー／モノクロ選択操作の入力が完了したことに応じて、スキャン開始操作の入力を受け付けるためのボタン画像Ｂ３３を含んだ画面が表示されてもよい。これにより、ウィザード形式により、複数の入力操作を受け付けることが可能となる。
【０１５８】
図９のスキャン設定画面Ｇ３において、ボタン画像Ｂ３１で原稿サイズ選択操作を受け付ける態様や、ボタン画像Ｂ３２でカラー／モノクロ選択操作を受け付ける態様は、様々であってよい。例えば、ボタン画像Ｂ３１をタップすると、トグル的に設定値画像Ｇ３１の内容が変化していく態様であってもよい。また例えば、ボタン画像Ｂ３１をタップすると、原稿サイズ情報の複数の選択肢がポップアップ表示または別画面表示されてもよい。そして、複数の選択肢のうちから所望のサイズ（例：Ａ４サイズ）をタップすることで、原稿サイズ情報を選択する態様であってもよい。なお、図１４のスキャン設定画面Ｇ８においても、同様である。
【０１５９】
図１０のＦＡＸ送信画面Ｇ４または図１１のＦＡＸ送信画面Ｇ５において、入力ボックス画像１２９へＦＡＸの宛先を入力する態様は、様々であってよい。例えば、入力ボックス画像１２９をタップすると、トグル的にアドレス帳内のアドレスが順次表示される態様であってもよい。また例えば、入力ボックス画像１２９をタップすると、アドレス帳内の宛先情報の選択肢がポップアップ表示または別画面表示されてもよい。そして、複数の選択肢のうちから所望の宛先をタップすることで、宛先情報を選択する態様であってもよい。
【０１６０】
Ｓ１４６で行われる、設定されている原稿サイズが選択デバイスで実際にＦＡＸ送信可能な原稿サイズの範囲内であるか否かの判断は、様々な態様であってよい。読出した原稿サイズ情報２２１が示す原稿サイズが、Ｓ１４４で読出された選択デバイス情報２０１に含まれているＦＡＸ可能サイズ２０４が示す原稿サイズのいずれかと一致するか否かを判断してもよい。例えば、ＦＡＸ可能サイズ２０４が「Ａ４」と「Ｌｅｔｔｅｒ」を示している場合に、原稿サイズ情報２２１が「Ａ４」を示している場合には肯定判断され、原稿サイズ情報２２１が「ハガキ」を示している場合には否定判断されてもよい。また、読出した原稿サイズ情報２２１が示す原稿サイズが、Ｓ１４４で読出された選択デバイス情報２０１に含まれているＦＡＸ可能サイズ２０４が示す最大の原稿サイズよりも大きいか否かを判断してもよい。例えば、ＦＡＸ可能サイズ２０４が「Ａ４」と「Ｌｅｔｔｅｒ」を示している場合に、原稿サイズ情報２２１が「Ａ３」を示している場合には否定判断され、原稿サイズ情報２２１が「ハガキ」を示している場合には肯定判断されてもよい。また、読出した原稿サイズ情報２２１が示す原稿サイズと、Ｓ１４４で読出された選択デバイス情報２０１に含まれているＦＡＸ可能サイズ２０４とを、前述したピクセル数や縦横の長さを示す値を比較することで、Ｓ１４６の判断を行ってもよい。
【０１６１】
Ｓ１４８において、第１デフォルトスキャン画像設定情報２１１を「反映した」第１ＦＡＸ画像設定情報２３１を生成すると説明した。ここで、「反映する」とは、様々な態様を含む概念である。すなわち、原稿サイズ情報やカラー情報の値をそのままコピーする態様に限られない。例えば、原稿サイズ情報やカラー情報の値を、同等の値に変換した上で適用する態様も含まれる。具体例としては、「Ａ４」という原稿サイズ情報を、縦横のピクセル数で表した設定値に変換した上で、適用する態様が挙げられる。なおＳ１５２において、デフォルトＦＡＸ画像設定情報２１０を反映した第２ＦＡＸ画像設定情報２３２を生成する場合においても同様である。
【０１６２】
またＳ１４８において、原稿サイズ情報２２１およびカラー情報２２２と近似した値を示す原稿サイズ情報３２１およびカラー情報３２２を持つ第１ＦＡＸ画像設定情報２３１を生成してもよい。例えば、原稿サイズ情報２２１が「Ａ４」を示す場合に、「Ａ４」と近似する「Ｌｅｔｔｅｒ」を示す原稿サイズ情報３２１を持つ第１ＦＡＸ画像設定情報２３１を生成してもよい。また、原稿サイズ情報２２１およびカラー情報２２２以外の、第１ＦＡＸ画像設定情報２３１に反映可能な情報が、第１デフォルトスキャン画像設定情報２１１に含まれている場合には、それらの情報も、第１ＦＡＸ画像設定情報２３１に反映してよい。なお、Ｓ１５２において、デフォルトＦＡＸ画像設定情報２１０を反映した第２ＦＡＸ画像設定情報２３２を生成する場合においても同様である。
【０１６３】
Ｓ２１８において第２ＦＡＸ画像データを生成する態様は、様々であってよい。コンテンツデータが複合機１０でＦＡＸ送信できない形式のデータであった場合には、複合機制御プログラム６５は、コンテンツデータを、複合機１０でＦＡＸ送信可能な形式のデータに変換してもよい。このデータ変換は、不図示の外部サーバに実行させてもよい。そして、変換後のデータに第３ＦＡＸ画像設定情報２３３を反映することで、第２ＦＡＸ画像データを生成してもよい。
【０１６４】
図７のメイン画面Ｇ１は、装置選択操作、ＦＡＸ指示操作、スキャン指示操作などの、複数の操作入力を受け付けることが可能な画面である場合を説明した。しかし、この形態に限られない。他の画面（例：図９のスキャン設定画面Ｇ３）に、各種の操作（例：装置選択操作）の入力を受け付ける機能を持たせてもよい。また、全く独立した画面（例：ポップアップ画面）に、各種の操作の入力を受け付ける機能を持たせてもよい。
【０１６５】
また、上記の実施形態の複合機１０及び携帯端末５０において、記憶部３２、６２のプログラム記憶領域３２Ａ、６２Ａに記憶された各種プログラムがＣＰＵ３１、６１によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【０１６６】
さらに、本発明は、複合機１０及び携帯端末５０として実現できるだけでなく、複合機１０及び携帯端末５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワーク１０１を通じて複合機１０及び携帯端末５０に接続可能なサーバに搭載された記憶部を含んでもよい。そして、サーバの記憶部に記憶されたプログラムは、当該プログラムを示す情報或いは信号として、インターネット等の通信ネットワーク１０１を通じて配信されてもよい。
【０１６７】
複合機１０は、画像処理装置の一例である。スキャン設定画面Ｇ３は、第１画面の一例である。Ｓ１２５を実行するＣＰＵは、第１表示処理の一例である。原稿サイズ選択操作、カラー／モノクロ選択操作は、第１入力操作の一例である。スキャン開始操作は、第２入力操作の一例である。Ｓ１４０を実行するＣＰＵは、第１送信処理の一例である。Ｓ１４２を実行するＣＰＵは、第１受信処理の一例である。Ｓ１４８を実行するＣＰＵは、第１生成処理の一例である。ＦＡＸ送信画面Ｇ４、ＦＡＸ送信画面Ｇ５は、第２画面の一例である。Ｓ１５０、Ｓ１５４を実行するＣＰＵは、第２表示処理の一例である。ボタン画像Ｂ４２は、第１設定画像の一例である。宛先入力操作は、第３入力操作の一例である。ＦＡＸ開始操作は、第４入力操作の一例である。Ｓ１６３を実行するＣＰＵは、第１ＦＡＸ画像データ生成処理の一例である。Ｓ１６５を実行するＣＰＵは、第２送信処理の一例である。Ｓ１２３を実行するＣＰＵは、第１読出処理の一例である。設定値画像Ｇ３１、Ｇ３２は、第２設定画像の一例である。スキャン設定画面Ｇ３は、第１画面の一例である。Ｓ１３５を実行するＣＰＵは、第１変更処理の一例である。Ｓ１４６を実行するＣＰＵは、第１判断処理の一例である。Ｓ１５２を実行するＣＰＵは、第２生成処理の一例である。Ｓ１４４を実行するＣＰＵは、第２読出処理の一例である。メイン画面Ｇ１は、第３画面の一例である。Ｓ９０を実行するＣＰＵは、第３表示処理の一例である。装置選択操作は、第５入力操作の一例である。Ｓ１００を実行するＣＰＵは、第２受信処理の一例である。Ｓ１６７を実行するＣＰＵは、第２判断処理の一例である。Ｓ１６９を実行するＣＰＵは、第１記憶処理の一例である。ソース選択画面Ｇ２は、第４画面の一例である。Ｓ１１５を実行するＣＰＵは、第４表示処理の一例である。端末内画像送信操作は、第６入力操作の一例である。Ｓ２１２を実行するＣＰＵは、第３生成処理の一例である。Ｓ２１８を実行するＣＰＵは、第２ＦＡＸ画像データ生成処理の一例である。Ｓ２２１を実行するＣＰＵは、第３送信処理の一例である。Ｓ１３５を実行するＣＰＵは、第２記憶処理の一例である。メイン画面Ｇ１は、第５画面の一例である。スキャン指示操作は、第７入力操作の一例である。Ｓ３２３を実行するＣＰＵは、第３読出処理の一例である。Ｓ３２５を実行するＣＰＵは、第６表示処理の一例である。ボタン画像Ｂ３１ａ、Ｂ３２ａは、第４設定画像の一例である。Ｓ３４０を実行するＣＰＵは、第３送信処理の一例である。Ｓ３４５を実行するＣＰＵは、第５受信処理の一例である。Ｓ３５０を実行するＣＰＵは、第３記憶処理の一例である。Ｓ１０３を実行するＣＰＵは、第４記憶処理の一例である。Ｓ１０３を実行するＣＰＵは、第５記憶処理の一例である。ＦＡＸ指示操作は、第９入力操作の一例である。ＦＡＸ送信画面Ｇ５は、第１の態様の第２画面の一例である。ＦＡＸ送信画面Ｇ４は、第２の態様の第２画面の一例である。ポップアップ画像Ｗ１１は、第１特定画像の一例である。
【符号の説明】
【０１６８】
１０：複合機、１３：ＦＡＸ部、２５および５５：通信部、３１および６１：ＣＰＵ、６５：複合機制御プログラム、５０：携帯端末、５３：表示部、５４：操作部、６２：記憶部
【図１】
0006575271.tif 000002
【図２Ａ】
0006575271.tif 000003
【図２Ｂ】
0006575271.tif 000004
【図３】
0006575271.tif 000005
【図４】
0006575271.tif 000006
【図５】
0006575271.tif 000007
【図６】
0006575271.tif 000008
【図７】
0006575271.tif 000009
【図８】
0006575271.tif 000010
【図９】
0006575271.tif 000011
【図１０】
0006575271.tif 000012
【図１１】
0006575271.tif 000013
【図１２】
0006575271.tif 000014
【図１３】
0006575271.tif 000015
【図１４】
0006575271.tif 000016
【図１５】
0006575271.tif 000017
【図１６】
0006575271.tif 000018
【図１７】
0006575271.tif 000019